(57)【要約】複対立遺伝子マーカーを遺伝子型決定するためのアレイベースの方法のための方法及びシステムが開示される。また本明細書では、全ゲノム増幅、及び結果として生じるデータにおける望ましくない偽遺伝子の効果を低減するために、増幅を選択的に付勢するための遺伝子座特異的多重ＰＣＲのための方法が開示される。遺伝子型決定方法は、典型的に、マーカーまたはゲノム変異体に対して１つの参照対立遺伝子及び１つの代替対立遺伝子を想定する。本明細書に開示される複対立遺伝子遺伝子型決定アルゴリズムは、従来の遺伝子型決定方法から拡張して、１つより多くの変異体を有する複対立遺伝子マーカーを扱う。【選択図】図５
2019500706.tif 000002
【特許請求の範囲】
【請求項１】
コンピュータシステムを使用して、１つ以上の複対立遺伝子マーカーを遺伝子型決定するための方法であって、
１つ以上の試料内の１つ以上の複対立遺伝子マーカーに対するシグナルを取得することと、
各複対立遺伝子マーカーについて、前記１つ以上の試料からの複数の対立遺伝子対における各対立遺伝子対に対する前記シグナルをクラスタ化して、各対立遺伝子対を表すクラスタをもたらすことと、
ホモ接合性対立遺伝子対を表す各ホモ接合性クラスタについて、代替対立遺伝子に対するシグナルを、前記代替対立遺伝子に対するバックグラウンドシグナルの算出のために収集して、各々がそれぞれの対立遺伝子を表す複数のバックグラウンドシグナルをもたらすことと、
前記シグナル及び前記バックグラウンドシグナルに基づいて、各対立遺伝子対について最初の遺伝子型コールを各試料に割り当てることと、
前記最初の遺伝子型コール及び前のクラスタパラメータを使用して、各クラスタの多変量正規分布を算出することと、
各クラスタの各多変量正規分布について、各試料のメンバーシップの対数尤度を算出することと、
前記メンバーシップの対数尤度に基づいて、各試料について、各クラスタにおけるメンバーシップの確率を算出することと、
前記メンバーシップの確率に基づいて、最終の遺伝子型コールを各試料に割り当てることと、を含む、方法。
【請求項２】
前記１つ以上の複対立遺伝子マーカーが、一塩基多型（ＳＮＰ）及び３つ以上の可能な対立遺伝子を有するインデルを含む、請求項１に記載の方法。
【請求項３】
前記１つ以上の複対立遺伝子マーカーに対して取得された前記シグナルが、前記１つ以上の試料における各対立遺伝子の対立遺伝子強度データを含む、請求項１に記載の方法。
【請求項４】
前記シグナルのクラスタ化が、アルゴリズムを、定義された一塩基多型（ＳＮＰ）及び定義されたアルゴリズムパラメータと共に使用することを更に含む、請求項１に記載の方法。
【請求項５】
前記最初の遺伝子型コールの割り当てが、
各対立遺伝子対について、いずれの代替対立遺伝子においても前記バックグラウンドシグナルを超えるシグナルを有しない試料のサブセットを特定することと、
各対立遺伝子対について、前記試料のサブセットにおける試料の数が、既定の最小値を超えることを判別することと、
各対立遺伝子対について、対応する対立遺伝子対において表される２つの対立遺伝子に対して、前記試料のサブセットにおける各試料を遺伝子型決定することと、を更に含む、請求項１に記載の方法。
【請求項６】
前記最初の遺伝子型コールの、各試料への割り当てが、
各試料において最も頻繁に発生するコールを選択するために、各試料のコールを比較することを更に含み、前記コール間に同点がある場合、「ノーコール」値が、前記試料に割り当てられる、請求項１に記載の方法。
【請求項７】
各クラスタの前記多変量正規分布が、対数シグナル空間において算出される、請求項１に記載の方法。
【請求項８】
各試料の前記メンバーシップの対数尤度の算出が、以下を使用して算出され、
【数１】
2019500706.tif 000028
式中、｜Σ｜が、共分散の決定因子であり、
ｘが、プローブセットの試料に対する前記シグナルを含むｋ次元列ベクトルであり、
ｋが、プローブセットに対するシグナルの数である、請求項１に記載の方法。
【請求項９】
前記最終の遺伝子型コールの割り当てが、
前記試料が、最高のメンバーシップの確率を有する特定のクラスタに各試料を割り当て、各試料に対するクラスタ割り当てをもたらすことと、
前記クラスタ割り当てに基づいて、前記最終の遺伝子型コールを各試料に割り当てることと、を更に含む、請求項１に記載の方法。
【請求項１０】
各試料の信頼値を算出することであって、前記信頼値が、任意の他のクラスタにおける前記試料のメンバーシップの確率を含む、算出することと、
各試料の前記信頼値を、既定の閾値と比較することと、
前記既定の閾値を超える信頼値を有する各試料に「ノーコール」値を割り当てることと、を更に含む、請求項１に記載の方法。
【請求項１１】
それぞれの各対立遺伝子について、前記バックグラウンドシグナルの平均、分散、及び標準偏差を算出することを更に含む、請求項１に記載の方法。
【請求項１２】
前記対立遺伝子について、前記バックグラウンドシグナルの前記平均、分散、及び標準偏差を算出するために利用可能な値がない場合、大域的推定バックグラウンドシグナルが、対立遺伝子に使用され、前記大域的推定バックグラウンドシグナルが、前記複数のバックグラウンドシグナルの平均である、請求項１１に記載の方法。
【請求項１３】
それぞれの各対立遺伝子についての、前記バックグラウンドシグナルの前記平均、分散、及び標準偏差の算出が、以下の等式を使用して算出することを更に含み、
【数２】
2019500706.tif 000029
【数３】
2019500706.tif 000030
【数４】
2019500706.tif 000031
【数５】
2019500706.tif 000032
【数６】
2019500706.tif 000033
【数７】
2019500706.tif 000034
【数８】
2019500706.tif 000035
式中、ａｖｇＳｉｇａｌｌｅｌｅが、対立遺伝子の平均シグナルであり、ａｌｌｅｌｅｈｏｍが、当該対立遺伝子のホモ接合性コールのシグナルであり、ｎｓｉｇａｌｌｅｌｅが、前記シグナルに寄与した試料の総数であり、
ｂｇｎｄａｌｌｅｌｅが、対立遺伝子のバックグラウンド値であり、Σａｌｌｅｌｅｉｎ  ｈｏｍ  ｃａｌｌ  ｎｏｔ＝ａｌｌｅｌｅ）が、前記コールが、前記対立遺伝子に一致しないとき、ホモ接合性コール中の当該対立遺伝子のシグナルであり、
ａｖｇＢｇｎｄａｌｌｅｌｅが、対立遺伝子の前記バックグラウンドの平均であり、
ｗｅｉｇｈｔｅｄＡｖｇＢｇｎｄが、前記バックグラウンドの加重平均であり、
ｖａｒｉａｎｃｅＢｇｎｄａｌｌｅＬｅが、前記バックグラウンドの分散であり、
ｓｔｄｅｖＢｇｎｄａｌｌｅｌｅ＝が、前記バックグラウンドの標準偏差であり、
ｗｅｉｇｈｔｅｄＡｖｇＳｔＤｅｖＢｇｎｄが、前記バックグラウンドの加重平均標準偏差である、請求項１１に記載の方法。
【請求項１４】
前記１つ以上の試料における前記１つ以上の複対立遺伝子マーカーに対する前記シグナルを取得することが、前記複対立遺伝子マーカーを測定するための、アレイ上の複数のプローブとの前記試料のハイブリダイゼーションに基づいている、請求項１に記載の方法。
【請求項１５】
示差的に標識されたオリゴヌクレオチドを前記アレイ上の複数のプローブに結紮して、前記標識されたオリゴヌクレオチドの３’末端においてＡ、Ｔ、Ｃ、またはＧヌクレオチドで標識されたオリゴヌクレオチドの結紮を区別することによって、前記試料の標的配列に存在する対立遺伝子を判別することを更に含む、請求項１４に記載の方法。
【請求項１６】
示差的に標識されたヌクレオチドによる前記アレイの前記複数のプローブの一塩基延長を使用して、Ａ、Ｔ、Ｃ、またはＧヌクレオチドによる延長を区別することによって、前記試料の標的配列に存在する対立遺伝子を判別することを更に含む、請求項１４に記載の方法。
【請求項１７】
アレイによるアンプリコンのハイブリダイゼーション前に、ゲノムＤＮＡ試料を、遺伝子座特異的増幅及び全ゲノム増幅で増幅するための方法であって、
ゲノムＤＮＡ試料を入手することと、
前記ゲノムＤＮＡ試料を、ゲノムＤＮＡの少なくとも第１の部分及び第２の部分に分割することと、    前記ゲノムＤＮＡの第１の部分上で遺伝子座特異的増幅を行って、標的配列に対する第１のアンプリコンのプールを生成することと、
全ゲノム増幅を、少なくとも前記ゲノムＤＮＡの第２の部分上で行って、第２のアンプリコンのプールを生成することと、
前記第１及び第２のアンプリコンのプールを断片化して、断片化アンプリコンを生成することと、
前記断片化アンプリコンを、アレイにハイブリダイズすることと、を含む、方法。
【請求項１８】
前記遺伝子座特異的増幅が、多重ポリメラーゼ連鎖反応による前記標的配列の増幅を含む、請求項１７に記載の方法。
【請求項１９】
前記遺伝子座特異的増幅が、分子反転プローブによる前記標的配列の増幅を含む、請求項１７に記載の方法。
【請求項２０】
前記遺伝子座特異的増幅が、錠型プローブによる前記標的配列の増幅を含む、請求項１７に記載の方法。
【請求項２１】
前記第１のアンプリコンのプールが、全ゲノム増幅が行われる前に前記ゲノムＤＮＡの第２の部分に付加され、前記全ゲノム増幅が、前記第１のアンプリコンのプール及び前記ゲノムＤＮＡの第２の部分上で行われる、請求項１７に記載の方法。
【請求項２２】
前記全ゲノム増幅が、前記ゲノムＤＮＡの第２の部分上のみで行われる、請求項１７に記載の方法。
【請求項２３】
前記第１及び第２のアンプリコンのプールが、断片化前に複合される、請求項１７に記載の方法。
【請求項２４】
前記標的配列が、複対立遺伝子マーカーを含む、請求項１７に記載の方法。
【請求項２５】
前記ゲノムＤＮＡ試料が、前記標的配列と、前記標的配列の偽遺伝子と、を含む、請求項１７に記載の方法。
【請求項２６】
前記遺伝子座特異的増幅が、前記標的配列に対する前記第１のアンプリコンのプールを生成するが、前記偽遺伝子のアンプリコンを生成しない、請求項２５に記載の方法。
【請求項２７】
前記断片化アンプリコンが、前記偽遺伝子のアンプリコンより多くの前記標的配列のアンプリコンを含む、請求項２６に記載の方法。
【請求項２８】
前記アレイが、１つ以上の複対立遺伝子マーカーを照合するための複数のプローブを含む、請求項１７に記載の方法。
【請求項２９】
前記試料中の前記１つ以上の複対立遺伝子マーカーに対するシグナルを取得することと、
ベイジアンＮ−対立遺伝子遺伝子型決定アルゴリズムを使用して、複対立遺伝子遺伝子型決定を行うことと、を更に含む、請求項２６に記載の方法。
【発明の詳細な説明】
【技術分野】
【０００１】
関連出願の相互参照
本出願は、２０１５年１０月１８日出願の米国出願第６２／２４３，０７８号の優先権を主張し、その開示は、その全体が参照により本明細書に組み込まれる。
【０００２】
本明細書に記載される態様は、概して、複対立遺伝子遺伝子型決定のためのシステム及び方法に関する。特に、本開示の１つ以上の態様は、一塩基多型（ＳＮＰ）及びインデルを含む、複対立遺伝子マーカーを遺伝子型決定するアレイベースの方法、ならびに試料中の各変異体における複数の対立遺伝子に関する遺伝子型情報を判別するためのアルゴリズムを対象とする。
【背景技術】
【０００３】
Ａｆｆｙｍｅｔｒｉｘ（登録商標）アレイ（Ａｆｆｙｍｅｔｒｉｘ，Ｉｎｃ．，Ｓａｎｔａ  Ｃｌａｒａ，ＣＡ）などの合成核酸プローブアレイを使用して、生物系に関するかつてない量の情報が生成されてきた。例えば、アレイは、１アレイ当たり１００万個の一塩基多型（ＳＮＰ）を遺伝子型決定するために十分なプローブを含み得る。そのようなマイクロアレイからの遺伝子型データの分析は、新薬、植物、動物、細菌、古細菌、及び真菌を含む生物の新たな種または株、ならびに遺伝子情報（特定の標的集団及び／または個体に対して調整された情報を含む）及びそのような情報の、癌などの疾患との相関に基づく新たな診断ツール及び治療の開発につながり得る。
【０００４】
ＳＮＰ及びインデル（例えば、塩基の挿入または欠失）の大部分は、遺伝的変異に２つの対立遺伝子が存在し得る、二対立遺伝子型であり得る。したがって、従来の遺伝子型決定方法は、２つの対立遺伝子を同定するための二対立遺伝子方法に向けられ得るが、いくつかの遺伝子変異体は、２つより多くの可能な対立遺伝子を有し得る。すなわち、複数の二対立遺伝子型変異体の対立遺伝子によって定義されるハプロタイプとは反対に、複数の代替対立遺伝子が単一遺伝子座に存在する、複対立遺伝子変異体を遺伝子型決定することに関心が高まっている。例えば、１０００  Ｇｅｎｏｍｅｓ  Ｐｒｏｊｅｃｔから入手されるものなどのゲノムデータは、約４００，０００個の複対立遺伝子ＳＮＰ及びインデルを含み得る。Ａｆｆｙｍｅｔｒｉｘ（登録商標）Ａｘｉｏｍ（登録商標）アレイなどのマイクロアレイプレートは、どの代替対立遺伝子がパネルに存在するかに応じて、薬物代謝に対する著しい影響を有する数十個の複対立遺伝子変異体のパネルを含み得る。したがって、遺伝子型決定において複対立遺伝子変異体を同定するための新たな手法を有する必要性がある。
【発明の概要】
【課題を解決するための手段】
【０００５】
以下は、本明細書に記載される種々の態様に関する簡易概要を提示する。この概要は、広範囲の概観ではなく、重要なもしくは重大な要素を識別するか、または特許請求の範囲を描出することを意図しない。以下の概要は、単にいくつかの概念を、下で提供されるより詳細な説明に対する導入的前置として簡易形式で提示する。
【０００６】
本明細書に記載される態様は、複対立遺伝子遺伝子型決定のためのシステム、方法、及びアルゴリズム、ならびに本明細書に記載される他の方法を対象とする。遺伝子型決定方法は、典型的に、マーカーまたはゲノム変異体に対して１つの参照対立遺伝子及び１つの代替対立遺伝子を想定する。本明細書に開示される複対立遺伝子遺伝子型決定アルゴリズムは、従来の遺伝子型決定方法から拡張して、１つより多くの変異体を有する複対立遺伝子マーカーを扱う。すなわち、本明細書に開示される方法は、一度に考慮される対立遺伝子の数を低減するために、各試料の各変異体において考慮する２つの対立遺伝子を選択することによって、複対立遺伝子ＳＮＰ及びインデルを遺伝子型決定することができる。
【０００７】
特定の実施形態によると、コンピュータシステムを使用して、１つ以上の複対立遺伝子マーカーを遺伝子型決定するための方法が本明細書に開示される。方法は、１つ以上の試料中の１つ以上の複対立遺伝子マーカーに対するシグナルを取得することと、各複対立遺伝子マーカーについて、１つ以上の試料からの複数の対立遺伝子対における各対立遺伝子対に対するシグナルをクラスタ化して、各対立遺伝子対を表すクラスタをもたらすことと、ホモ接合性対立遺伝子対を表す各ホモ接合性クラスタについて、代替対立遺伝子に対するバックグラウンドシグナルを算出するために、代替対立遺伝子に対するシグナルを収集して、各々がそれぞれの対立遺伝子を表す複数のバックグラウンドシグナルをもたらすことと、シグナル及びバックグラウンドシグナルに基づいて、各対立遺伝子対について最初の遺伝子型コールを各試料に割り当てることと、最初の遺伝子型コール及び前のクラスタパラメータを使用して、各クラスタの多変量正規分布を算出することと、各クラスタの各多変量正規分布について、各試料のメンバーシップの対数尤度を算出することと、このメンバーシップの対数尤度に基づいて、各試料について、各クラスタにおけるメンバーシップの確率を算出することと、このメンバーシップの確率に基づいて、最後の遺伝子型コールを各試料に割り当てることと、を含み得る。
【０００８】
更なる実施形態によると、アンプリコンの調製のための、全ゲノム増幅及び遺伝子座特異的多重ポリメラーゼ連鎖反応（ｍＰＣＲ）を利用するための方法も開示される。これらの方法は、増幅を選択的に付勢して、関心対象の所望のマーカーについての遺伝子型決定データの品質を改善すること、及び結果として生じるデータにおける望ましくない偽遺伝子の効果を低減することを対象とし得る。方法は、ゲノムＤＮＡを（例えば、抽出によって）入手することと、全ゲノム増幅をゲノムＤＮＡに適用することと、遺伝子座特異的ｍＰＣＲを行って、所望の遺伝子変異体の、増加した数のアンプリコンを入手することと、を含み得る。結果として生じるＤＮＡ試料を断片化し、アレイにハイブリダイズすることができ、これを複対立遺伝子遺伝子型決定に利用することができる。関心対象の変異体の増幅に対して意図的な不均衡または付勢をもたらすことによって、下流の生物情報学的分析が改善され得る。
【０００９】
更なる実施形態によると、本開示は、生物学的アッセイもしくは試験もしくは実験を評価し、結果を提供もしくは評価するために、一緒にまたは独立して使用され得る方法及び／またはシステム及び／またはデバイスに関与する。特定の実施形態では、本開示は、データにアクセスし、本明細書に記載されるようにステップを実行するための論理命令またはモジュールで構成されたコンピュータまたは実験用具などの情報処理デバイスに関与する。更なる実施形態では、本発明は、有体媒体に記録された論理命令及び／またはデータに関与する。
【００１０】
これら及び追加の態様は、下で更に詳細に論じられる開示の利益により高く評価されるであろう。
【図面の簡単な説明】
【００１１】
特許または出願ファイルは、カラーで作成された少なくとも１つの図面を含む。カラー図面（複数可）を有する本特許または特許出願公開のコピーは、要望に応じて必要な料金の支払い時に特許庁によって提供されるであろう。本明細書に記載される態様及びそれらの利点に関するより完全な理解は、添付の図面を考慮し、以下の説明を参照することによって得ることができ、同様の参照番号は、同様の特徴を示す。
【００１２】
【図１】本発明の実施形態のソフトウェアを実行するために利用され得る、コンピュータシステムの例を示す。
【図２】図１のコンピュータシステムのシステムブロック図を示す。
【図３】対立遺伝子強度の、コントラスト及びサイズへの対数変換についての例示的なプロットを示す。
【図４】二対立遺伝子遺伝子型決定アルゴリズムにおけるクラスタに割り当てられた試料の例示的なプロットを示す。
【図５】複対立遺伝子遺伝子型決定方法の高レベルフローチャートを示す。
【図６Ａ】各対立遺伝子対についてのバックグラウンドシグナル算出の例示的なプロットを示す。
【図６Ｂ】各対立遺伝子対についてのバックグラウンドシグナル算出の例示的なプロットを示す。
【図６Ｃ】各対立遺伝子対についてのバックグラウンドシグナル算出の例示的なプロットを示す。
【図７Ａ】遺伝子型決定された試料のサブセットの初期分割の例示的なプロットを示す。
【図７Ｂ】遺伝子型決定された試料のサブセットの初期分割の例示的なプロットを示す。
【図７Ｃ】遺伝子型決定された試料のサブセットの初期分割の例示的なプロットを示す。
【図８】複対立遺伝子遺伝子型決定のためのＮ次元ガウス混合モデルの例を示す。
【図９】複対立遺伝子コール率対全ての複対立遺伝子プローブセットを含む平均クラスタ一致の例示的なプロットを示す。
【図１０−１】いくつかの変換されたプローブセットに対するコール及び参照遺伝子型の例示的なプロットを示す。
【図１０−２】いくつかの変換されたプローブセットに対するコール及び参照遺伝子型の例示的なプロットを示す。
【図１０−３】いくつかの変換されたプローブセットに対するコール及び参照遺伝子型の例示的なプロットを示す。
【図１１】単一遺伝子（例えば、ＣＹＰ２Ｄ６）の遺伝子座特異的増幅と、全ゲノム増幅（ＷＧＡ）との組み合わせのためのステップのフローに関する例示的な図を示す。
【図１２】図１１に例示される２つの手法を行うことから得られる結果の遺伝子型決定プロットを示す。
【図１３】本開示の１つ以上の態様に従う、開示される増幅手法におけるワークフローの例示的な図を示す。
【図１４】本開示の１つ以上の態様に従う、実行可能性について試験された多重プライマーセットの例示的な表を示す。
【図１５】本開示の１つ以上の態様に従う、オリゴヌクレオチドスパイクイン研究からの遺伝子型決定結果の例を示す。
【図１６−１】本開示の１つ以上の態様に従う、１５−ｐｌｅｘ  ｍＰＣＲアッセイからの結果の例示的な表を示す。
【図１６−２】本開示の１つ以上の態様に従う、１５−ｐｌｅｘ  ｍＰＣＲアッセイからの結果の例示的な表を示す。
【発明を実施するための形態】
【００１３】
一般
本開示は、多くの好ましい実施形態を有し、当業者に既知の詳細について、多くの特許、出願、及び他の参照文献に依存する。したがって、特許、出願、または他の参照文献が下で引用されるか、または繰り返されるとき、あらゆる目的で、ならびに列挙される命題のために、その全体が参照により組み込まれることが理解されるべきである。
【００１４】
本出願で使用される場合、単数形「ａ」、「ａｎ」、及び「ｔｈｅ」は、文脈上明らかに他の意味を示す場合を除き、複数の指示対象を含む。例えば、用語「因子」は、複数の因子を含み、それらの混合を含む。
【００１５】
個体は、ヒトに限定されないが、他の生物であってもよく、哺乳動物、植物、細菌、または上記のうちのいずれかに由来する細胞が挙げられるが、これらに限定されない。
【００１６】
本開示全体で、本開示の様々な態様が範囲形式で提示され得る。範囲形式での記述は、単に便宜性及び簡潔性のためであり、本開示の範囲に対する確固とした限定として解釈されてはならないことが理解されるべきである。したがって、範囲に関する記述は、可能な部分範囲ならびにその範囲内の個々の数値全てを具体的に開示したものとみなされるべきである。例えば、１〜６などの範囲の記述は、例えば１〜３、１〜４、１〜５、２〜４、２〜６、３〜６等の部分範囲、ならびにその範囲内の個々の数、例えば、１、２、３、４、５、及び６を具体的に開示したものとみなされるべきである。これは、範囲の幅にかかわらず該当する。関数ログに対する全ての指示対象は、別途指示されない限り、ｅを底としてデフォルト設定される（例えば、ｌｏｇ．ｓｕｂ．１０）。
【００１７】
本開示の実施は、別途示されない限り、有機化学、ポリマー技術、分子生物学（組み換え技法を含む）、細胞生物学、生化学、及び免疫学の従来技法及び記述を用いることができ、それらは当該技術の範囲内である。そのような従来技法としては、ポリマーアレイ合成、ハイブリダイゼーション、結紮、及び標識を使用するハイブリダイゼーションの検出が挙げられる。好適な技法に関する特定の例証は、本明細書における下記の実施例を参照することにより行われてもよい。しかし当然のことながら、他の同等の従来手順が使用されてもよい。そのような従来技法及び記述は、Ｇｅｎｏｍｅ  Ａｎａｌｙｓｉｓ：Ａ  Ｌａｂｏｒａｔｏｒｙ  Ｍａｎｕａｌ  Ｓｅｒｉｅｓ（Ｖｏｌｓ．Ｉ−ＩＶ）、Ｕｓｉｎｇ  Ａｎｔｉｂｏｄｉｅｓ：Ａ  Ｌａｂｏｒａｔｏｒｙ  Ｍａｎｕａｌ、Ｃｅｌｌｓ：Ａ  Ｌａｂｏｒａｔｏｒｙ  Ｍａｎｕａｌ、ＰＣＲ  Ｐｒｉｍｅｒ：Ａ  Ｌａｂｏｒａｔｏｒｙ  Ｍａｎｕａｌ、及びＭｏｌｅｃｕｌａｒ  Ｃｌｏｎｉｎｇ：Ａ  Ｌａｂｏｒａｔｏｒｙ  Ｍａｎｕａｌ（全てＣｏｌｄ  Ｓｐｒｉｎｇ  Ｈａｒｂｏｒ  Ｌａｂｏｒａｔｏｒｙ  Ｐｒｅｓｓから）、Ｓｔｒｙｅｒ，Ｌ．（１９９５）Ｂｉｏｃｈｅｍｉｓｔｒｙ（４ｔｈ  Ｅｄ．）Ｆｒｅｅｍａｎ，Ｎ．Ｙ．，Ｇａｉｔ，″Ｏｌｉｇｏｎｕｃｌｅｏｔｉｄｅ  Ｓｙｎｔｈｅｓｉｓ：Ａ  Ｐｒａｃｔｉｃａｌ  Ａｐｐｒｏａｃｈ″１９８４，ＩＲＬ  Ｐｒｅｓｓ，Ｌｏｎｄｏｎ、Ｎｅｌｓｏｎ  ａｎｄ  Ｃｏｘ（２０００），Ｌｅｈｎｉｎｇｅｒ，Ｐｒｉｎｃｉｐｌｅｓ  ｏｆ  Ｂｉｏｃｈｅｍｉｓｔｒｙ  ３ｒｄ  Ｅｄ．，Ｗ．Ｈ．Ｆｒｅｅｍａｎ  Ｐｕｂ．，Ｎｅｗ  Ｙｏｒｋ，Ｎ．Ｙ．、及びＢｅｒｇ  ｅｔ  ａｌ．（２００２）Ｂｉｏｃｈｅｍｉｓｔｒｙ，５ｔｈ  Ｅｄ．，Ｗ．Ｈ．Ｆｒｅｅｍａｎ  Ｐｕｂ．，Ｎｅｗ  Ｙｏｒｋ，Ｎ．Ｙ．，などの標準実験マニュアルに見出すことができ、それらの全てが、あらゆる目的で参照によりそれら全体が本明細書に組み込まれる。
【００１８】
本開示は、いくつかの好ましい実施形態において、アレイを含む固体基質を用いることができる。ポリマー（タンパク質を含む）アレイ合成に適用可能な方法及び技法は、米国出願第０９／５３６，８４１号、ＷＯ００／５８５１６、米国特許第５，１４３，８５４号、同第５，２４２，９７４号、同第５，２５２，７４３号、同第５，３２４，６３３号、同第５，３８４，２６１号、同第５，４０５，７８３号、同第５，４２４，１８６号、同第５，４５１，６８３号、同第５，４８２，８６７号、同第５，４９１，０７４号、同第５，５２７，６８１号、同第５，５５０，２１５号、同第５，５７１，６３９号、同第５，５７８，８３２号、同第５，５９３，８３９号、同第５，５９９，６９５号、同第５，６２４，７１１号、同第５，６３１，７３４号、同第５，７９５，７１６号、同第５，８３１，０７０号、同第５，８３７，８３２号、同第５，８５６，１０１号、同第５，８５８，６５９号、同第５，９３６，３２４号、同第５，９６８，７４０号、同第５，９７４，１６４号、同第５，９８１，１８５号、同第５，９８１，９５６号、同第６，０２５，６０１号、同第６，０３３，８６０号、同第６，０４０，１９３号、同第６，０９０，５５５号、同第６，１３６，２６９号、同第６，２６９，８４６号、及び同第６，４２８，７５２号、ＰＣＴ出願第ＰＣＴ／ＵＳ９９／００７３０号（国際公開第ＷＯ９９／３６７６０）及びＰＣＴ／ＵＳ０１／０４２８５号に記載されており、それらは全て、あらゆる目的でそれら全体が参照により本明細書に組み込まれる。
【００１９】
特定の実施形態において合成技法を記載している特許としては、米国特許第５，４１２，０８７号、同第６，１４７，２０５号、同第６，２６２，２１６号、同第６，３１０，１８９号、同第５，８８９，１６５号、及び同第５，９５９，０９８号が挙げられる。核酸アレイが、上記特許のうちの多くに記載されているが、同じ技法が、ポリペプチドアレイに適用される。
【００２０】
本開示において有用な核酸アレイとしては、Ａｆｆｙｍｅｔｒｉｘ（Ｓａｎｔａ  Ｃｌａｒａ，Ｃａｌｉｆ．）からブランド名ＧｅｎｅＣｈｉｐ（登録商標）で商業的に入手可能なものが挙げられる。例示的なアレイは、ウェブサイト（ａｆｆｙｍｅｔｒｉｘ．ｃｏｍ）で示されている。
【００２１】
本開示はまた、固体基質に付着させたポリマーの多くの用途を企図する。これらの用途としては、遺伝子発現モニタリング、プロファイリング、ライブラリスクリーニング、遺伝子型決定、及び診断が挙げられる。遺伝子発現モニタリング及びプロファイリング方法は、米国特許第５，８００，９９２号、同第６，０１３，４４９号、同第６，０２０，１３５号、同第６，０３３，８６０号、同第６，０４０，１３８号、同第６，１７７，２４８号、及び同第６，３０９，８２２号に示され得る。したがって、遺伝子型決定及び用途は、米国出願第６０／３１９，２５３号、同第１０／０１３，５９８号、及び米国特許第５，８５６，０９２号、同第６，３００，０６３号、同第５，８５８，６５９号、同第６，２８４，４６０号、同第６，３６１，９４７号、同第６，３６８，７９９号、及び同第６，３３３，１７９号に示される。他の用途は、米国特許第５，８７１，９２８号、同第５，９０２，７２３号、同第６，０４５，９９６号、同第５，５４１，０６１号、及び同第６，１９７，５０６号において具体化されている。
【００２２】
本開示はまた、ある特定の好ましい実施形態において、試料の調製方法を企図する。遺伝子型決定の前またはそれと同時に、ゲノム試料は、様々な機序によって増幅されてよく、それらのうちのいくつかは、ＰＣＲを用いる場合がある。例えば、ＰＣＲ  Ｔｅｃｈｎｏｌｏｇｙ：Ｐｒｉｎｃｉｐｌｅｓ  ａｎｄ  Ａｐｐｌｉｃａｔｉｏｎｓ  ｆｏｒ  ＤＮＡ  Ａｍｐｌｉｆｉｃａｔｉｏｎ（Ｅｄ．Ｈ．Ａ．Ｅｒｌｉｃｈ，Ｆｒｅｅｍａｎ  Ｐｒｅｓｓ，ＮＹ，Ｎ．Ｙ．，１９９２）、ＰＣＲ  Ｐｒｏｔｏｃｏｌｓ：Ａ  Ｇｕｉｄｅ  ｔｏ  Ｍｅｔｈｏｄｓ  ａｎｄ  Ａｐｐｌｉｃａｔｉｏｎｓ（Ｅｄｓ．Ｉｎｎｉｓ，ｅｔ  ａｌ．，Ａｃａｄｅｍｉｃ  Ｐｒｅｓｓ，Ｓａｎ  Ｄｉｅｇｏ，Ｃａｌｉｆ．，１９９０）、Ｍａｔｔｉｌａ  ｅｔ  ａｌ．，Ｎｕｃｌｅｉｃ  Ａｃｉｄｓ  Ｒｅｓ．１９，４９６７（１９９１）、Ｅｃｋｅｒｔ  ｅｔ  ａｌ．，ＰＣＲ  Ｍｅｔｈｏｄｓ  ａｎｄ  Ａｐｐｌｉｃａｔｉｏｎｓ  １，１７（１９９１）、ＰＣＲ（Ｅｄｓ．ＭｃＰｈｅｒｓｏｎ  ｅｔ  ａｌ．，ＩＲＬ  Ｐｒｅｓｓ，Ｏｘｆｏｒｄ）、ならびに米国特許第４，６８３，２０２号、同第４，６８３，１９５号、同第４，８００，１５９号、同第４，９６５，１８８号、及び同第５，３３３，６７５号を参照されたい。各々があらゆる目的で、それら全体が参照により本明細書に組み込まれる。試料は、アレイ上で増幅され得る。例えば、米国特許第６，３００，０７０号及び米国特許出願第０９／５１３，３００号を参照されたい（参照により本明細書に組み込まれる）。
【００２３】
他の好適な増幅方法としては、リガーゼ連鎖反応（ＬＣＲ）（例えば、Ｗｕ  ａｎｄ  Ｗａｌｌａｃｅ，Ｇｅｎｏｍｉｃｓ  ４，５６０（１９８９），Ｌａｎｄｅｇｒｅｎ  ｅｔ  ａｌ．，Ｓｃｉｅｎｃｅ  ２４１，１０７７（１９８８）及びＢａｒｒｉｎｇｅｒ  ｅｔ  ａｌ．Ｇｅｎｅ  ８９：１１７（１９９０））、転写増幅（Ｋｗｏｈ  ｅｔ  ａｌ．，Ｐｒｏｃ．Ｎａｔｌ．Ａｃａｄ．Ｓｃｉ．ＵＳＡ  ８６，１１７３（１９８９）及びＷＯ８８／１０３１５）、自律的配列複製（Ｇｕａｔｅｌｌｉ  ｅｔ  ａｌ．，Ｐｒｏｃ．Ｎａｔ．Ａｃａｄ．Ｓｃｉ．ＵＳＡ，８７，１８７４（１９９０）及びＷＯ９０／０６９９５）、標的ポリヌクレオチド配列の選択的増幅（米国特許第６，４１０，２７６号）、コンセンサス配列プライムポリメラーゼ連鎖反応（ＣＰ−ＰＣＲ）（米国特許第４，４３７，９７５）、任意的プライムポリメラーゼ連鎖反応（ＡＰ−ＰＣＲ）（米国特許第５，４１３，９０９号、同第５，８６１，２４５号）、ならびに核酸ベース配列増幅（ＮＡＳＢＡ）が挙げられる。（米国特許第５，４０９，８１８号、同第５，５５４，５１７号、及び同第６，０６３，６０３号を参照されたい。各々が参照により本明細書に組み込まれる）。使用され得る他の増幅方法としては、ＰＣＴ特許出願第ＰＣＴ／ＵＳ８７／００８８０号に記載されるＱｂｅｔａ  Ｒｅｐｌｉｃａｓｅ、Ｗａｌｋｅｒ  ｅｔ  ａｌ．１９９２，Ｎｕｃｌｅｉｃ  Ａｃｉｄｓ  Ｒｅｓ．２０（７）：１６９１−６，１９９２に記載されるＳＤＡなどの等温増幅方法、及び米国特許第５，６４８，２４５号に記載されるローリングサークル増幅が挙げられる。使用され得る他の増幅方法は、米国特許第５，２４２，７９４号、同第５，４９４，８１０号、同第４，９８８，６１７号、及び米国出願第０９／８５４，３１７号、及び米国公開第２００３／０１４３５９９号に記載されており、各々が参照により本明細書に組み込まれるいくつかの実施形態では、ＤＮＡは、多重遺伝子座特異的ＰＣＲによって増幅される。他の実施形態では、ＤＮＡは、アダプター結紮及び単一プライマーＰＣＲを使用して増幅される。平衡ＰＣＲ（Ｍａｋｒｉｇｉｏｒｇｏｓ，ｅｔ  ａｌ．（２００２），Ｎａｔ  Ｂｉｏｔｅｃｈｎｏｌ，Ｖｏｌ．２０，ｐｐ．９３６−９）などの他の使用可能な増幅方法が使用されてもよい。
【００２４】
追加の試料調製方法及び核試料の複雑性を低減するための技法は、Ｄｏｎｇ  ｅｔ  ａｌ．，Ｇｅｎｏｍｅ  Ｒｅｓｅａｒｃｈ  １１，１４１８（２００１）、米国特許第６，３６１，９４７号、同第６，３９１，５９２号、ならびに米国特許出願第０９／９１６，１３５号、同第０９／９２０，４９１号、同第０９／９１０，２９２号、及び同第１０／０１３，５９８号に記載されている。
【００２５】
ポリヌクレオチドハイブリダイゼーションアッセイを行うための方法は、当該技術分野において十分に開発されてきた。ハイブリダイゼーションアッセイ手順及び条件は、適用に応じて異なり、Ｍａｎｉａｔｉｓ  ｅｔ  ａｌ．Ｍｏｌｅｃｕｌａｒ  Ｃｌｏｎｉｎｇ：Ａ  Ｌａｂｏｒａｔｏｒｙ  Ｍａｎｕａｌ（２．ｓｕｐ．ｎｄ  Ｅｄ．Ｃｏｌｄ  Ｓｐｒｉｎｇ  Ｈａｒｂｏｒ，Ｎ．Ｙ．，１９８９）、Ｂｅｒｇｅｒ  ａｎｄ  Ｋｉｍｍｅｌ  Ｍｅｔｈｏｄｓ  ｉｎ  Ｅｎｚｙｍｏｌｏｇｙ，Ｖｏｌ．１５２，Ｇｕｉｄｅ  ｔｏ  Ｍｏｌｅｃｕｌａｒ  Ｃｌｏｎｉｎｇ  Ｔｅｃｈｎｉｑｕｅｓ（Ａｃａｄｅｍｉｃ  Ｐｒｅｓｓ，Ｉｎｃ．，Ｓａｎ  Ｄｉｅｇｏ，Ｃａｌｉｆ．，１９８７）、Ｙｏｕｎｇ  ａｎｄ  Ｄａｖｉｓｍ，Ｐ．Ｎ．Ａ．Ｓ，８０：１１９４（１９８３）において言及されるものを含む、既知の一般的な結合方法に従って選択される。繰り返しの制御されたハイブリダイゼーション反応を実行するための方法及び装置は、米国特許第５，８７１，９２８号、同第５，８７４，２１９号、同第６，０４５，９９６号、及び同第６，３８６，７４９号、同第６，３９１，６２３号に記載されており、各々が参照により本明細書に組み込まれる。
【００２６】
本開示はまた、ある特定の好ましい実施形態において、リガンド間のハイブリダイゼーションのシグナル検出を企図する。米国特許第５，１４３，８５４号、同第５，５７８，８３２号、同第５，６３１，７３４号、同第５，８３４，７５８号、同第５，９３６，３２４号、同第５，９８１，９５６号、同第６，０２５，６０１号、同第６，１４１，０９６号、同第６，１８５，０３０号、同第６，２０１，６３９号、同第６，２１８，８０３号、及び同第６，２２５，６２５号、米国特許出願第６０／３６４，７３１号、ならびにＰＣＴ出願第ＰＣＴ／ＵＳ９９／０６０９７号（ＷＯ９９／４７９６４として公開）を参照されたい。各々がまた、あらゆる目的で、その全体が参照により本明細書に組み込まれる。
【００２７】
シグナル検出及び強度データの処理のための方法及び装置は、例えば、米国特許第５，１４３，８５４号、同第５，５４７，８３９号、同第５，５７８，８３２号、同第５，６３１，７３４号、同第５，８００，９９２号、同第５，８３４，７５８号、同第５，８５６，０９２号、同第５，９０２，７２３号、同第５，９３６，３２４号、同第５，９８１，９５６号、同第６，０２５，６０１号、同第６，０９０，５５５号、同第６，１４１，０９６号、同第６，１８５，０３０号、同第６，２０１，６３９号、同第６，２１８，８０３号、及び同第６，２２５，６２５号、米国特許出願第６０／３６４，７３１号、ならびにＰＣＴ出願第ＰＣＴ／ＵＳ９９／０６０９７号（ＷＯ９９／４７９６４として公開）に開示されており、各々がまた、あらゆる目的で、その全体が参照により本明細書に組み込まれる。
【００２８】
本開示の実施はまた、従来の生物学的方法、ソフトウェア、及びシステムを用いることができる。本開示のコンピュータソフトウェア製品は、典型的に、本開示の方法の論理ステップを行うためのコンピュータ実行可能な命令を有するコンピュータ可読媒体を含む。好適なコンピュータ可読媒体としては、フロッピー（登録商標）ディスク、ＣＤ−ＲＯＭ／ＤＶＤ／ＤＶＤ−ＲＯＭ、ハードディスクドライブ、フラッシュメモリ、ＲＯＭ／ＲＡＭ、磁気テープ等が挙げられる。コンピュータ実行可能な命令は、好適なコンピュータ言語またはいくつかの言語の組み合わせで記述され得る。基本的な計算生物学方法は、例えば、Ｓｅｔｕｂａｌ  ａｎｄ  Ｍｅｉｄａｎｉｓ  ｅｔ  ａｌ．，Ｉｎｔｒｏｄｕｃｔｉｏｎ  ｔｏ  Ｃｏｍｐｕｔａｔｉｏｎａｌ  Ｂｉｏｌｏｇｙ  Ｍｅｔｈｏｄｓ（ＰＷＳ  Ｐｕｂｌｉｓｈｉｎｇ  Ｃｏｍｐａｎｙ，Ｂｏｓｔｏｎ，１９９７）、Ｓａｌｚｂｅｒｇ，Ｓｅａｒｌｅｓ，Ｋａｓｉｆ，（Ｅｄ．），Ｃｏｍｐｕｔａｔｉｏｎａｌ  Ｍｅｔｈｏｄｓ  ｉｎ  Ｍｏｌｅｃｕｌａｒ  Ｂｉｏｌｏｇｙ，（Ｅｌｓｅｖｉｅｒ，Ａｍｓｔｅｒｄａｍ，１９９８）、Ｒａｓｈｉｄｉ  ａｎｄ  Ｂｕｅｈｌｅｒ，Ｂｉｏｉｎｆｏｒｍａｔｉｃｓ  Ｂａｓｉｃｓ：Ａｐｐｌｉｃａｔｉｏｎ  ｉｎ  Ｂｉｏｌｏｇｉｃａｌ  Ｓｃｉｅｎｃｅ  ａｎｄ  Ｍｅｄｉｃｉｎｅ（ＣＲＣ  Ｐｒｅｓｓ，Ｌｏｎｄｏｎ，２０００）、及びＯｕｅｌｅｔｔｅ  ａｎｄ  Ｂｚｅｖａｎｉｓ  Ｂｉｏｉｎｆｏｒｍａｔｉｃｓ：Ａ  Ｐｒａｃｔｉｃａｌ  Ｇｕｉｄｅ  ｆｏｒ  Ａｎａｌｙｓｉｓ  ｏｆ  Ｇｅｎｅ  ａｎｄ  Ｐｒｏｔｅｉｎｓ（Ｗｉｌｅｙ＆Ｓｏｎｓ，Ｉｎｃ．，２ｎｄ  ｅｄ．，２００１）に記載されている。
【００２９】
本開示はまた、プローブ設計、データ管理、分析、及び用具操作などの様々な目的で、種々のコンピュータプログラム製品及びソフトウェアを利用することができる。米国特許第５，５９３，８３９号、同第５，７９５，７１６号、同第５，７３３，７２９号、同第５，９７４，１６４号、同第６，０６６，４５４号、同第６，０９０，５５５号、同第６，１８５，５６１号、同第６，１８８，７８３号、同第６，２２３，１２７号、同第６，２２９，９１１号、及び同第６，３０８，１７０号を参照されたい。高密度マイクロアレイ分析を使用する遺伝子型決定に関連するコンピュータ方法を、本方法で使用することもできる。例えば、米国特許公開第２００５／０２５０１５１号、同第２００５／０２４４８８３号、同第２００５／０１０８１９７号、同第２００５／００７９５３６号、及び同第２００５／００４２６５４号を参照されたい。
【００３０】
追加として、本開示は、米国特許出願第１０／０６３，５５９号、同第６０／３４９，５４６号、同第６０／３７６，００３号、同第６０／３９４，５７４号、同第６０／４０３，３８１号に示されるように、インターネットなどのネットワーク上で遺伝子情報を提供するための方法を含む、好ましい実施形態を有し得る。
【００３１】
定義
本開示に従う核酸は、ピリミジン及びプリン塩基の任意のポリマーまたはオリゴマー、好ましくはそれぞれシトシン、チミン、及びウラシル、ならびにアデニン及びグアニンを含み得る。（Ａｌｂｅｒｔ  Ｌ．Ｌｅｈｎｉｎｇｅｒ，Ｐｒｉｎｃｉｐｌｅｓ  ｏｆ  Ｂｉｏｃｈｅｍｉｓｔｒｙ，ａｔ  ７９３−８００（Ｗｏｒｔｈ  Ｐｕｂ．１９８２）（あらゆる目的で、その全体が本明細書に組み込まれる）を参照されたい）。実際に、本開示は、任意のデオキシリボヌクレオチド、リボヌクレオチド、またはペプチド核酸成分、及びその任意の化学変異体、例えばこれらの塩基のメチル化、ヒドロキシメチル化、またはグルコシル化形態等を企図する。ポリマーまたはオリゴマーは、組成物中で異種または同種であってよく、天然に存在する起源から単離され得るか、または人工的もしくは合成的に生成され得る。加えて、核酸は、ＤＮＡもしくはＲＮＡ、またはそれらの混合物であってよく、一本鎖または二本鎖形態（同種二本鎖、異種二本鎖、及びハイブリッド状態を含む）で永久的または移行的に存在し得る。
【００３２】
オリゴヌクレオチドまたはポリヌクレオチドは、少なくとも２、好ましくは少なくとも８、１５、または２０ヌクレオチド長から最大５０、１００、１０００、もしくは５０００ヌクレオチド長であり得る範囲の核酸、またはポリヌクレオチドに特異的にハイブリダイズする化合物であり得る。本開示のポリヌクレオチドは、デオキシリボ核酸（ＤＮＡ）もしくはリボ核酸（ＲＮＡ）の配列、または天然起源から単離され得るか、組み換え的に生成され得るか、または人工的に合成され得るその模倣体を含む。本開示のポリヌクレオチドの更なる例は、ペプチド核酸（ＰＮＡ）であり得る。（米国特許第６，１５６，５０１号（その全体が参照により本明細書に組み込まれる）を参照されたい。）本開示はまた、ある特定のｔＲＮＡ分子内で同定され、三重らせんで存在すると仮定されたフーグスティーン塩基対合などの非伝統的塩基対合が存在する状況を包含する。「ポリヌクレオチド」及び「オリゴヌクレオチド」は、本出願において交換可能に使用される。
【００３３】
用語「ハイブリダイゼーション」は、本明細書で使用される場合、２つの一本鎖ポリヌクレオチドが、非共役的に結合して安定な二本鎖ポリヌクレオチドを形成するプロセスを指し、三本鎖ハイブリダイゼーションも理論的に可能である。結果として生じる（通常）二本鎖ポリヌクレオチドは、「ハイブリッド」である。安定なハイブリッドを形成するポリヌクレオチドの集団の比率は、本明細書において「ハイブリダイゼーションの程度」と称される。ハイブリダイゼーションは、通常ストリンジェントな条件下、例えば、約１Ｍ以下の塩濃度及び少なくとも２５℃の温度で行われる。例えば、５×ＳＳＰＥ（７５０ｍＭ  ＮａＣｌ、５０ｍＭ  ＮａＰｈｏｓｐｈａｔｅ、５ｍＭ  ＥＤＴＡ、ｐＨ７．４）及び２５〜３０℃の温度の条件、または１００ｍＭ  ＭＥＳ、１Ｍ［Ｎａ＋］、２０ｍＭ  ＥＤＴＡ、０．０１％  Ｔｗｅｅｎ−２０及び３０〜５０℃の温度、好ましくは約４５〜５０℃の条件が、対立遺伝子特異的プローブハイブリダイゼーションに好適である。ハイブリダイゼーションは、約０．１ｍｇ／ｍＬのニシン精液ＤＮＡ、約０．５ｍｇ／ｍＬのアセチル化ＢＳＡなどの薬剤の存在下で行われ得る。塩基組成物及び相補鎖の長さ、有機溶媒の存在及び塩基ミスマッチの程度を含む他の因子が、ハイブリダイゼーションのストリンジェンシーに影響を及ぼし得るため、パラメータの組み合わせは、いずれか１つの単独の絶対尺度よりも重要である。マイクロアレイに好適なハイブリダイゼーション条件は、Ｇｅｎｅ  Ｅｘｐｒｅｓｓｉｏｎ  Ｔｅｃｈｎｉｃａｌ  Ｍａｎｕａｌ，２００４及びＧＥＮＥＣＨＩＰ（登録商標）Ｍａｐｐｉｎｇ  Ａｓｓａｙ  Ｍａｎｕａｌ，２００４に記載されている。
【００３４】
用語「断片」は、より大きいＤＮＡポリヌクレオチドまたはＤＮＡの部分を指す。ポリヌクレオチド、例えば、複数の断片に分割され得るか、または断片化され得る。核酸を断片化する種々の方法は、当該技術分野において周知である。これらの方法は、例えば、性質上化学的または物理的のいずれかであり得る。化学的断片化としては、ＤＮａｓｅによる部分分解、酸による部分脱ブリン化、制限酵素の使用、イントロンコードされたエンドヌクレアーゼ、核酸分子内の特定の位置に切断剤を局在化させるために、核酸セグメントの特異的ハイブリダイゼーションに依存する、三重及びハイブリッド形成方法などのＤＮＡベースの切断方法、または既知もしくは未知の位置でＤＮＡを切断する他の酵素もしくは化合物を挙げることができる。物理的断片化方法は、ＤＮＡを高せん断速度に供することを必要とし得る。高せん断速度は、例えば、ＤＮＡをチャンバもしくはチャネルを通してピットもしくはスパイクで動かすか、またはＤＮＡ試料を制限サイズ流路、例えばミクロンもしくはサブミクロンスケールの断面寸法を有する開口に通すことによってもたらすことができる。他の物理的方法としては、音波処理及び噴霧が挙げられる。熱及びイオン媒介の加水分解による断片化などの物理的及び化学的断片化方法の組み合わせも同様に用いることができる。例えば、Ｓａｍｂｒｏｏｋ  ｅｔ  ａｌ．，″Ｍｏｌｅｃｕｌａｒ  Ｃｌｏｎｉｎｇ：Ａ  Ｌａｂｏｒａｔｏｒｙ  Ｍａｎｕａｌ，″３ｒｄ  Ｅｄ．Ｃｏｌｄ  Ｓｐｒｉｎｇ  Ｈａｒｂｏｒ  Ｌａｂｏｒａｔｏｒｙ  Ｐｒｅｓｓ，Ｃｏｌｄ  Ｓｐｒｉｎｇ  Ｈａｒｂｏｒ，Ｎ．Ｙ．（２００１）（″Ｓａｍｂｒｏｏｋ  ｅｔ  ａｌ．）（あらゆる目的で、参照により本明細書に組み込まれる）を参照されたい。これらの方法は、核酸を選択されたサイズ範囲の断片に消化するために最適化され得る。有用なサイズ範囲は、２５、５０、７５、１００、２００、４００、７００、または１０００〜５００、８００、１５００、２０００、４０００、または１０，０００塩基対であり得る。しかしながら、４０００、１０，０００、または２０，０００〜１０，０００、２０，０００、または５００，０００塩基対などの、より大きなサイズ範囲も有用であり得る。
【００３５】
「ゲノム」は、生物のＤＮＡにコードされる、生物に対する遺伝的指令の完全な単一コピーセットを示す、または意味する。ゲノムは、多染色体であってよく、それにより、ＤＮＡが複数の個々の染色体間で細胞的に分布される。例えば、ヒトでは、２２の染色体対に加えて性関連ＸＸまたはＸＹ対が存在する。
【００３６】
用語「染色体」は、クロマチンに由来し、ＤＮＡ及びタンパク質構成要素（特にヒストン）を含む、生細胞の遺伝担持遺伝子を指す。従来の国際的に認識されている個々のヒトゲノム染色体付番システムが、本明細書において用いられる。個々の染色体のサイズは、１つの型から所与の多染色体ゲノムを有するものまで、また１種類のゲノムから別のものまで異なり得る。ヒトゲノムの場合では、所与の染色体の全体ＤＮＡ質量は、通常約１００，０００，０００ｂｐ超である。例えば、全体ヒトゲノムのサイズは、約３×１０９ｂｐである。最大染色体、染色体番号１は、約２．４×１０８ｂｐを含むが、最小染色体、染色体番号２２は、約５．３×１０７ｂｐを含む。
【００３７】
「染色体領域」は、染色体の部分である。任意の個々の染色体領域の実際の物理的サイズまたは程度は、大幅に異なり得る。領域は、個々の遺伝子の特定のコードセグメント（エクソン）を特定の考慮に入れる必要がないため、用語「領域」は、必ずしも特定の１つ以上の遺伝子に確定的でない。
【００３８】
「アレイ」は、好ましくは固体の支持体と、その支持体に付着した核酸プローブと、を含む。好ましいアレイは、典型的に、異なる既知の位置において基質の表面に連結されている、複数の異なる核酸プローブを含む。「マイクロアレイ」または口語的に「チップ」とも記載されるこれらのアレイは、概して、当該技術分野において、例えば、米国特許第５，１４３，８５４号、同第５，４４５，９３４号、同第５，７４４，３０５号、同第５，６７７，１９５号、同第５，８００，９９２号、同第６，０４０，１９３号、同第５，４２４，１８６号、及びＦｏｄｏｒ  ｅｔ  ａｌ．，Ｓｃｉｅｎｃｅ，２５１：７６７−７７７（１９９１）に記載されている。これらの各々は、あらゆる目的で、その全体が参照により組み込まれる。
【００３９】
アレイは、一般に、機械的合成方法、またはフォトリソグラフィ方法と固相合成方法との組み合わせを組み込む光指向性合成方法などの、様々な技法を使用して生成され得る。機械的合成方法を使用するこれらのアレイの合成のための技法は、例えば、米国特許第５，３８４，２６１号及び同第６，０４０，１９３号に記載されており、あらゆる目的で、それら全体が参照により本明細書に組み込まれる。平坦なアレイ表面が好ましいが、このアレイは、実質的に任意の形状の表面または更には多数の表面上に作成され得る。アレイは、ビーズ、ゲル、ポリマー表面、光ファイバーなどのファイバー、ガラス、または任意の他の適切な基質上の核酸であり得る。（米国特許第５，７７０，３５８号、同第５，７８９，１６２号、同第５，７０８，１５３号、同第６，０４０，１９３号、及び同第５，８００，９９２号（あらゆる目的で、それら全体が参照により本明細書に組み込まれる）を参照されたい。）
【００４０】
好ましいアレイは、Ａｆｆｙｍｅｔｒｉｘからブランド名ＧｅｎｅＣｈｉｐ（登録商標）及びＡｘｉｏｍ（登録商標）で商業的に入手可能であり、様々な真核種及び原核種の遺伝子型決定及び遺伝子発現モニタリングを含む、様々な目的を対象とする。（Ａｆｆｙｍｅｔｒｉｘ  Ｉｎｃ．，Ｓａｎｔａ  Ｃｌａｒａ及びそのウェブサイト（ａｆｆｙｍｅｔｒｉｘ．ｃｏｍ）を参照されたい。）他の商業的に入手可能なアレイとしては、Ｉｎｆｉｎｉｕｍ（登録商標）アレイ（Ｉｌｌｕｍｉｎａ，Ｉｎｃ．，Ｓａｎ  Ｄｉｅｇｏ，Ｃａｌｉｆｏｒｎｉａ）及びＳｕｒｅＰｒｉｎｔ（登録商標）アレイ（Ａｇｉｌｅｎｔ  Ｔｅｃｈｎｏｌｏｇｉｅｓ，Ｉｎｃ．，Ｓａｎｔａ  Ｃｌａｒａ，Ｃａｌｉｆｏｒｎｉａ）が挙げられる。
【００４１】
対立遺伝子は、細胞、個体内、または集団内の遺伝的配列（遺伝子など）の１つの特異的な形態、少なくとも１つの配列内の同じ遺伝子の他の形態とは異なる特定の形態、及び遺伝子の配列内の、多くの場合１ヶ所を超える変異体部位を指す。異なる対立遺伝子間で異なるこれらの変異体部位における配列は、「変異」、「多型」、または「突然変異」と呼ばれる。各常染色体特異的染色体位置または「遺伝子座」において、個体は２つの対立遺伝子を有し、１つは一方の親から、１つはもう一方の親から受け継がれ、例えば、１つは母親から、１つは父親から受け継がれる。遺伝子座に２つの異なる対立遺伝子を有する場合、個体は、その遺伝子座において「ヘテロ接合性」である。遺伝子座に２つの同一の対立遺伝子を有する場合、個体は、その遺伝子座において「ホモ接合性」である。
【００４２】
多型は、集団における２つ以上の遺伝子的に決定された代替配列または対立遺伝子の発生を指す。多型マーカーまたは部位は、分岐が発生する遺伝子座である。好ましいマーカーは、少なくとも２つの対立遺伝子を有し、各々が好ましくは選択された集団の１％を超える頻度、より好ましくは１０％または２０％を超える頻度で発生する。多型は、１つ以上の塩基変更、挿入、反復、または欠失を含み得る。多型遺伝子座は、１つの塩基対のように小さい場合がある。多型マーカーとしては、制限断片長多型、タンデム反復数（ＶＮＴＲ）、超可変領域、ミニサテライト、ジヌクレオチド反復、トリヌクレオチド反復、テトラヌクレオチド反復、単純配列反復、及びＡｌｕなどの挿入要素が挙げられる。最初に同定された対立遺伝子形態は、参照形態として任意に指定され、他の対立遺伝子形態は、代替または変異体対立遺伝子として指定される。選択された集団において最も頻繁に発生する対立遺伝子形態は、野生型形態と称されることもある。二倍体生物は、対立遺伝子形態に対してホモ接合性またはヘテロ接合性であり得る。二対立遺伝子（ｄｉａｌｌｅｌｉｃ）または二対立遺伝子（ｂｉａｌｌｅｌｉｃ）多型は、２つの形態を有する。三対立遺伝子多型は、３つの形態を有する。複対立遺伝子多型は、２つ以上の形態を有する。２つの核酸間の多型は、自然に発生し得るか、あるいは化学物質、酵素、もしくは他の因子への曝露もしくは接触、または核酸に損傷を引き起こす因子、例えば、紫外線照射、突然変異原、もしくは発癌物質への曝露によって引き起こされ得る。一塩基多型（ＳＮＰ）は、ヒト集団において少なくとも２つの代替塩基が適切な頻度（１％超）で発生する位置であり、ヒト遺伝的変異の最も一般的な型である。複対立遺伝子マーカーは、３つ以上の可能な対立遺伝子を有するＳＮＰまたはインデルを含み得る。
【００４３】
本明細書において交換可能に使用され、当該技術分野において一般に理解される用語「一塩基多型プローブ」または「ＳＮＰプローブ」は、特定の一塩基多型を照合するように設計された１つ以上のオリゴヌクレオチドのセットを指す。そのようなプローブは、一般に、アレイ上のそれらの位置に従って同定されるが、例えば、バーコード様式のタグ配列、検出可能な標識、プローブが付着される区別可能な固体支持体、または当該技術分野において既知の様々な他の手段の使用によって同定することもできる。Ａｘｉｏｍ（登録商標）アッセイ（Ａｆｆｙｍｅｔｒｉｘ，Ｉｎｃ．，Ｓａｎｔａ  Ｃｌａｒａ，ＣＡ）またはＩｎｆｉｎｉｕｍ（登録商標）ＩＩアッセイ（Ｉｌｌｕｍｉｎａ，Ｉｎｃ．，Ｓａｎ  Ｄｉｅｇｏ，ＣＡ）などの当該技術分野において既知のある特定のアッセイにおいて、試料へのハイブリダイゼーション後に、試料配列における次の塩基に相補的な照合塩基が、ＳＮＰプローブに付加され（次いで、試料との少なくとも部分的に二本鎖の複合体を形成する）、付加された照合塩基からの直接的または間接的に検出可能なシグナルを使用して、付加された照合塩基の同定を決定し、それから関連対立遺伝子の同定が決定される。付加された照合塩基は、当該技術分野において既知の様々な技法によって、例えば結紮または一塩基延長によって付加されてよい。当該技術分野において既知のとおり、ある特定のアレイアッセイは、多型に対して順方向または逆方向のいずれかの透視から設計されたＳＮＰプローブを利用し、したがって、プローブ設計の間、プローブは、多型の左または右のいずれかの配列に相補的であり得る。結紮ベースの照合手法の非限定例は、ＵＳ２００８／０１３１８９４に開示されている。
【００４４】
用語「遺伝子型決定」は、個体がゲノムにおける１つ以上の位置に運ぶ遺伝情報の決定を指す。例えば、遺伝子型決定は、個体がどの対立遺伝子（複数可）を単一ＳＮＰに運ぶかの決定、または個体がどの対立遺伝子（複数可）を複数のＳＮＰに運ぶかの決定を含み得る。例えば、ゲノムにおける特定のヌクレオチドは、一部の個体においてＡ、他の個体においてＣであり得る。その位置にＡを有する個体は、Ａ対立遺伝子を有し、Ｃを有するものは、Ｃ対立遺伝子を有する。二倍体生物において、個体は、多型位置を含む配列の２つのコピーを有することになるため、個体は、Ａ対立遺伝子及びＣ対立遺伝子を有し得るか、または代替として、Ａ対立遺伝子の２つのコピーもしくはＣ対立遺伝子の２つのコピーを有し得る。Ｃ対立遺伝子の２つのコピーを有する個体は、Ｃ対立遺伝子に対してホモ接合性であり、Ａ対立遺伝子の２つのコピーを有する個体は、Ｃ対立遺伝子に対してホモ接合性であり、各対立遺伝子の１つのコピーを有する個体は、ヘテロ接合性である。アレイは、これら３つの可能な結果の各々を区別するように設計され得る。多型位置は、２つ以上の可能な対立遺伝子を有してよく、アレイは、全ての可能な組み合わせを区別するように設計され得る。
【００４５】
遺伝子型決定は、単一多型、例えば、単一ヌクレオチド多型もしくは単一塩基インデルに存在する情報、または複合体もしくは多塩基インデルなどの多塩基位置に存在する情報を指し得る。例えば、ＳＮＰが二対立遺伝子であり、ＡまたはＣのいずれかであり得る場合、次いで個体が、その位置でＡに対してホモ接合性である場合、ＳＮＰの遺伝子型は、ホモ接合性ＡまたはＡＡである。ＳＮＰはまた、複対立遺伝子であってよく（二対立遺伝子に対して）、３つ以上の可能な対立遺伝子変異体を有し得る。遺伝子型は、複数の多型位置に存在する情報を指し得る。
【００４６】
用語「プライマー」は、本明細書において使用される場合、好適な条件下（例えば、緩衝剤及び温度）、４つの異なるヌクレオシド三リン酸塩及び重合のための因子、例えば、ＤＮＡもしくはＲＮＡポリメラーゼまたは逆転写酵素などの存在下で、テンプレート指向性ＤＮＡ合成の開始点として作用可能な一本鎖オリゴヌクレオチドを指す。任意の所与の場合、プライマーの長さは、例えば、プライマーの意図した用途に依存し、一般に１５〜３０ヌクレオチドの範囲である。短プライマー分子は、一般に、テンプレートを用いて十分に安定なハイブリッド複合体を形成するために、より低い温度を必要とする。プライマーは、テンプレートの正確な配列を反映する必要はないが、そのようなテンプレートでハイブリダイズするために十分に相補的でなければならない。プライマー部位は、プライマーがハイブリダイズするテンプレートの領域である。プライマー対は、増幅される配列の５’端とハイブリダイズする５’上流プライマー、及び増幅される配列の３’端の相補体とハイブリダイズする３’下流プライマーを含む、プライマーのセットである。
【００４７】
用語「事前値（ｐｒｉｏｒ）」は、明細書において名詞として使用される場合、パラメータの推定値に加えて、任意の（現在の）データが観測される前に算出に入れられるそのパラメータの分布における不確実性を指す。これは、ベイジアン統計における標準記法である。遺伝子型クラスタ中心位置及び分散の推定値のような値は、事前値として使用され得る（他のデータセットまたはユーザが入力した量から得られるものなど）。
【００４８】
用語「プローブ」は、本明細書において使用される場合、特定の標的によって認識され得る表面固定化分子を指す。プローブと、１０個、１２個、及びより多くの塩基との全ての可能な組み合わせを有するアレイの例については、米国特許第６，５８２，９０８号を参照されたい。本開示によって調査され得るプローブの例としては、細胞膜受容体、毒素、及び毒液のアゴニスト及びアンタゴニスト、ウイルスエピトープ、ホルモン（例えば、オピオイドペプチド、ステロイド等）、ホルモン受容体、ペプチド、酵素、酵素基質、共因子、薬物、レクチン、糖、オリゴヌクレオチド、核酸、オリゴ糖、タンパク質、及びモノクローナル抗体が挙げられるが、これらに限定されない。本開示のいくつかの実施形態では、プローブは、一般に３０塩基長のガラス結合されたオリゴヌクレオチドを含み得る。プローブの長さを調整して、高ＧＣまたは低ＧＣ標的配列を補償することができ、ＧＣは、標的配列におけるグアニン−シトシン含有量を表す。プローブの可変位置は、プローブの３’端における結紮部位にあっても、それに隣接していても、プローブの中心に向かっていても、結紮部位から離れていてもよい。
【００４９】
多型を分析するための対立遺伝子特異的プローブの設計及び使用は、例えば、Ｓａｉｋｉ  ｅｔ  ａｌ．，Ｎａｔｕｒｅ  ３２４，１６３−１６６（１９８６）、Ｄａｔｔａｇｕｐｔａ，ＥＰ２３５，７２６、Ｓａｉｋｉ、及びＷＯ８９／１１５４８によって記載されている。１つの個体からの標的ＤＮＡのセグメントをハイブリダイズするが、２つの個体からのそれぞれのセグメントにおける異なる多型形態の存在に起因して、別の個体からの対応するセグメントにハイブリダイズしない対立遺伝子特異的プローブが設計され得る。ハイブリダイゼーション条件は、対立遺伝子間のハイブリダイゼーション強度、及び好ましくは本質的に二値応答に有意差があるように十分にストリンジェントであるべきであり、これにより、プローブは、対立遺伝子のうちの１つのみにハイブリダイズする。
【００５０】
例示的実施形態
種々の実施形態に関する以下の説明では、上で特定され、その一部を形成する添付の図面が参照され、本明細書に記載される態様が実施され得る様々な実施形態が、例証として示される。他の実施形態を利用することができ、本明細書に記載される範囲から逸脱することなく、構造的及び機能的修正を行ってよいことが理解されるべきである。種々の態様は、他の実施形態が可能であり、種々の異なる方法で実施または実行することが可能である。
【００５１】
アレイベースのゲノム分析は、一般に、各々が少なくとも１つのプローブセットを有する非常に多くのＳＮＰ及び他の多型を標的とし、プローブセットは、特定のＳＮＰの存在を決定するために使用されるオリゴヌクレオチド配列のセットを含む。例えば、プローブは、二対立遺伝子の対またはセット、及び複対立遺伝子プローブセットに組織化されてよく、各々が標的マーカーを照合する。いくつかのシステムでは、多くの多型は、２つ以上の異なるプローブセットを有してよく、異なるプローブセットの各々を用いて、多型について可能な遺伝子型決定結果を提供する。一方法では、個々の試料は、遺伝子型決定アレイまたは他のプローブセットシステムに曝露され、試料中の異なる多型対立遺伝子の存在を判別する。ほとんどの生物は、全ての染色体の複数コピーを有するため、同じ試料に対して異なる対立遺伝子が検出され得る。したがって、試料は、一般に各多型の複数の対立遺伝子（例えば、２つ以上）を特徴とする。多型に対して複数の対立遺伝子を決定することは、一般に、当該技術分野において遺伝子型決定またはＳＮＰ遺伝子型決定と称される。
【００５２】
最近の遺伝子型決定アレイの一例では、Ａｆｆｙｍｅｔｒｉｘ，Ｉｎｃ．からのＡｘｉｏｍ（登録商標）遺伝子型決定アレイが、１アレイ当たり１，５００〜２６０万個のＳＮＰのカスタマイズ可能な選択から遺伝子型決定することができる。全体アレイは、オリゴヌクレオチドプローブでタイル配置（集合）されてよく、数千個のＳＮＰ及びゲノムプローブをアッセイすることができる。プローブは、標的試料からの標識化ＤＮＡに結合する。一般に、分析ソフトウェアを使用して、格子状画像上の蛍光を発する各ＤＮＡ−プローブ複合体の明度を定量化する。高強度スポットは、プローブと標的ＤＮＡ配列との間の高い親和性を示し、それらを使用して、個々のＳＮＡの遺伝子型をデコードする。Ａｆｆｙｍｅｔｒｉｘは、ヒト、イヌ、及び他のマウスアレイを含む、他のアレイを提供する。
【００５３】
ＳＮＰまたは多型遺伝子型コーリングは、どの対立遺伝子が多型位置に存在するかを決定するプロセスを指す。二対立遺伝子多型には、一般に、ある位置に存在し得る２つの異なる塩基対があり、対立遺伝子Ａ及び対立遺伝子Ｂと称され得る。ＳＮＰの遺伝子型は、一般に（Ａ、Ａ）、（Ｂ、Ｂ）、または（Ａ、Ｂ）のうちの１つである。最初の２つの遺伝子型は、一般に同種と称され、最後は異種と称される。複対立遺伝子多型には、Ｎ個の異なる塩基対が存在してよく、Ｎは、２を超える任意の数であり得る。例えば、Ｎ＝３の場合、ある位置に存在し得る３つの異なる塩基対が存在してよく、対立遺伝子Ａ、対立遺伝子Ｂ、及び対立遺伝子Ｃを含む。複対立遺伝子ＳＮＰの遺伝子型は、（Ａ、Ａ）、（Ｂ、Ｂ）、（Ａ、Ｂ）、（Ａ、Ｃ）、（Ｂ、Ｃ）、または（Ｃ、Ｃ）のうちの１つであり得る。
【００５４】
複対立遺伝子マーカーにおける追加の変異体を扱うために、改善された遺伝子型決定アルゴリズム及び方法が必要である。下でより詳細に記載される主題に対する一般的な導入として、本明細書に記載される態様は、複対立遺伝子マーカーを遺伝子型決定するために、１つ以上のソフトウェアプログラム、論理モジュール、及びデータ捕捉システムを含むシステム及び方法に向けられる。複対立遺伝子遺伝子型決定方法は、遺伝子型コールを、ベイジアンＮ−対立遺伝子遺伝子型決定を使用して、２つ以上の可能な変異体を有するマーカーに割り当てることを対象とする。このベイジアンＮ−対立遺伝子遺伝子型決定（ＢＡＮＧ）アルゴリズムは、二倍体ゲノム内の遺伝子型複対立遺伝子マーカーを遺伝子型決定するために開発され、このアルゴリズムは、任意数の対立遺伝子（Ｎ）を扱うことが意図される。ＢＡＮＧアルゴリズムは、１０００  Ｇｅｎｏｍｅｓ  Ｐｒｏｊｅｃｔ（第３相）から得られ、３６０試料（ＨａｐＭａｐ  ２７０＋ＬＷＫ）においてアッセイされた約１００，０００個の複対立遺伝子マーカーの約１５０，０００個のプローブセットに対して試験されてきた。１０００  Ｇｅｎｏｍｅｓに対するコール率及び一致の妥当な変換基準を使用して、プローブセットの約４０％が、アルゴリズムパラメータ調整またはＳＮＰ特異的事前値なしに、初回通過分析において良好な性能を示した。
【００５５】
ＢＡＮＧアルゴリズムは、各々が正確に１つの予想される対立遺伝子に特異的なプローブ及び結紮チャネル対の設計を利用することができる。例えば、ＡｆｆｙｍｅｔｒｉｘのＡｘｉｏｍ（登録商標）遺伝子型決定アレイは、マイクロアレイ基質上でオリゴヌクレオチドプローブを用いる２色結紮ベースアッセイを用いる。アレイ上の各位置は、特徴部と称され、単一プローブの多くの事例を含む。いくつかの実施形態では、特徴部は、５×５または６×６ミクロンの寸法であり得る。アレイにおける各特徴部は、ＳＮＰ部位に隣接しているゲノム配列に相補的な固有のオリゴヌクレオチド配列の多くの事例を含み得る。２つの染料のうちの１つに対する付着部位を担持する溶液プローブは、ＳＮＰ部位の塩基に応じて（例えば、ＡまたはＴ、対ＧまたはＣ）、ガラスプローブ／標的複合体にハイブリダイズし、次いで特異性について結紮される。Ａｘｉｏｍ（登録商標）２色システムは、結果として生じる蛍光部分に基づいて、ＡまたはＴ対ＧまたはＣの結紮を区別することができる。
【００５６】
プローブと結紮チャネルとの固有の組み合わせを使用して、標的配列に存在する対立遺伝子を判別することができる。試料の標的配列に存在する対立遺伝子は、結紮チャネルを使用して判別され、結果として生じる蛍光部分によって、ＡもしくはＴヌクレオチドの結紮、またはＧもしくはＣヌクレオチドの結紮を区別することができる。すなわち、いくつかの実施形態では、試料の標的配列に存在する対立遺伝子は、示差的に標識されたオリゴヌクレオチドをアレイ上の複数のプローブに結紮することによって判別され、標識化オリゴヌクレオチドの３’端におけるＡ、Ｔ、Ｃ、またはＧヌクレオチドでの標識化オリゴヌクレオチドの結紮を区別することができる。他の実施形態では、試料の標的配列に存在する対立遺伝子は、示差的に標識されたヌクレオチドでの、アレイ上の複数のプローブの単一塩基延長を使用することによって判別され、Ａ、Ｔ、Ｃ、またはＧヌクレオチドでの延長を区別することができる。
【００５７】
プローブ及び予想される結紮チャネルの集合を含むプローブセットは、特異的マーカーの種々の可能な対立遺伝子をアッセイすることが意図され得る。更に、ＢＡＮＧアルゴリズムは、多数の試料から強度データを取得する際に実装することができ、試料当たりの対立遺伝子ごとにシグナル値をもたらす。
【００５８】
図１は、本発明の実施形態のソフトウェアを実行するために使用され得るコンピュータソフトウェアの例を示す。図１は、ディスプレイ３、スクリーン５、キャビネット７、キーボード９、及びマウス１１を含むコンピュータシステム１を示す。マウス１１は、グラフィカルユーザインターフェースと相互作用するための１つ以上のボタンを有し得る。キャビネット７は、ＣＤ−ＲＯＭドライブ１３、システムメモリ、及びハードドライブ（図２を参照されたい）を収容し、これらを利用して、本発明を実装するコンピュータコードを組み込むソフトウェアプログラム、本発明と共に使用するためのデータ等を記憶し、検索することができる。ＣＤ−ＲＯＭ１５は、例示的なコンピュータ可読記憶媒体として示されるが、フロッピー（登録商標）ディスク、テープ、フラッシュメモリ、システムメモリ、及びハードドライブを含む他のコンピュータ可読記憶媒体が利用されてもよい。追加として、搬送波で（例えば、インターネットを含むネットワークで）具体化されるデータシグナルは、コンピュータ可読記憶媒体であり得る。
【００５９】
図２は、本発明の実施形態のソフトウェアを実行するために使用されるコンピュータシステム１のシステムブロック図を示す。図１と同様に、コンピュータシステム１は、モニター３及びキーボード９、ならびにマウス１１を含む。コンピュータシステム１は、好適なコンピューティングシステムの単なる一例であり、本開示に含まれる用途または機能性の範囲に関していかなる制限も示唆することを意図しない。コンピュータシステム１は、図１及び２に示される構成要素のうちのいずれか１つまたは組み合わせに関するいかなる依存性または要件も有すると解釈されてはならない。
【００６０】
コンピュータシステム１は、中央処理装置５１、システムメモリ５３、固定ストレージ５５（例えば、ハードドライブ）、リムーバブルストレージ５７（例えば、ＣＤ−ＲＯＭドライブ、フロッピー（登録商標）ディスク、ＵＳＢドライブ）、ディスプレイアダプター５９、サウンドカード６１、スピーカー６３、及びネットワークインターフェース６５などのサブシステムを更に含む。本発明と共に使用するために好適な他のコンピュータシステムは、追加の、またはより少ないサブシステムを含み得る。例えば、別のコンピュータシステムは、１つより多くのプロセッサ５１（すなわち、マルチプロセッサシステム）またはキャッシュメモリを含み得る。
【００６１】
コンピュータシステム１のシステムバスアーキテクチャは、矢印６７によって表される。しかしながら、これらの矢印は、サブシステムにリンクする役割を果たす任意の相互接続スキームを例証している。例えば、ローカルバスを利用して、中央処理装置をシステムメモリ及びディスプレイアダプターに接続することができる。図２に示されるコンピュータシステム１は、本発明と共に使用するために好適なコンピュータシステムの単なる例である。異なる構成のサブシステムを有する他のコンピュータアーキテクチャが利用されてもよい。
【００６２】
いくつかの態様では、コンピュータシステム１は、様々なコンピュータ可読媒体を含み得る。コンピュータ可読媒体は、コンピュータシステム１によってアクセスされ得る任意の使用可能な媒体であってよく、非一時的であり得、コンピュータ可読命令、オブジェクトコード、データ構造、プログラムモジュール、または他のデータなどの情報の記憶のために任意の方法または技術で実装される、揮発性及び非揮発性の、リムーバブル及び非リムーバル媒体を含み得る。コンピュータ可読媒体の例としては、ランダムアクセスメモリ（ＲＡＭ）、読み取り専用メモリ（ＲＯＭ）、電子的に消去可能なプログラム可能読み取り専用メモリ（ＥＥＰＲＯＭ）、フラッシュメモリ、または他のメモリ技術、コンパクトディスク読み取り専用メモリ（ＣＤ−ＲＯＭ）、デジタル多用途ディスク（ＤＶＤ）、または他の光学ディスクストレージ、磁気カセット、磁気テープ、磁気ディスクストレージ、もしくは他の磁気ストレージデバイス、あるいは所望の情報を記憶するために使用することができ、かつコンピュータシステム１によってアクセスされ得る任意の他の媒体を挙げることができる。
【００６３】
必要とされないが、本明細書に記載される種々の態様は、データ処理システムとして、またはコンピュータ実行可能命令を記憶するコンピュータ可読媒体として具体化され得る。例えば、開示される実施形態の態様に従う方法のステップをプロセッサに行わせる命令を記憶するコンピュータ可読媒体が企図される。例えば、本明細書に開示される方法ステップ及びアルゴリズムの態様は、コンピュータシステム１のプロセッサ上で実行され得る。そのようなプロセッサは、コンピュータ可読媒体上に記憶されたコンピュータ実行可能命令を実行することができる。
【００６４】
ソフトウェアは、メモリ５３及び／またはストレージ（例えば、固定ストレージ５５またはリムーバルストレージ５７）内に記憶され、コンピュータシステム１が種々の機能を行うことを可能にするように、プロセッサ５７に命令を提供することができる。例えば、メモリ５３は、コンピュータシステム１によって使用されるソフトウェアを記憶することができ、オペレーティングシステム、アプリケーションプログラム、及び関連データベースが挙げられるが、これらに限定されない。また、コンピュータシステム１に対するコンピュータ実行可能命令の一部または全てが、ハードウェアまたはファームウェアにおいて具体化されてもよい。図示されていないが、メモリ５３は、メモリに記憶されたアプリケーションデータを表す１つ以上のアプリケーションを含み得るが、コンピュータシステム１はオンであり、対応するソフトウェアアプリケーション（例えば、ソフトウェアタスク）は、コンピュータシステム１上で実行する。
【００６５】
ネットワークインターフェース６５は、コンピュータシステム１が、ローカルエリアネットワーク（ＬＡＮ）、広域ネットワーク（ＷＡＮ）、または他のネットワークを含む任意のネットワーク接続上で他のデバイスと通信することを可能にし得る。例えば、コンピュータシステム１は、インターネットまたは他の種類のコンピュータネットワーク上で通信を確立することができる。いくつかの実施形態では、コンピュータシステム１は、アレイを走査するために使用され得る光学走査装置などの他のデバイスと通信し得る。例えば、走査装置は、標的分子と関連した標識からの蛍光もしくは他の発光を検出することによって、または伝搬、反射、または散乱した照射線を検出することによって標的を撮像することができる。走査装置は、検出された発光または反射光の波長の強度（及び恐らくは検出された波長と関連付けられ得る色などの他の特徴）を表すシグナル、ならびにその発光または反射波長が検出されたアレイ基質上の位置を提供することができる。典型的に、シグナルは、走査された基質の領域に対応する強度情報を含む。いくつかの実施形態では、コンピュータシステム１は、走査装置からのシグナル（例えば、全ての試料及び全ての可能な対立遺伝子についてのシグナルデータ）を、ネットワークインターフェース６５を通じて入手または収集し、データを適宜に記憶された命令に処理することができる。
【００６６】
本開示は、多くの他の一般目的または特殊目的コンピューティングシステム環境または構成で操作される。開示される実施形態との使用に好適であり得る周知のコンピューティングシステム、環境、及び／または構成の例としては、パーソナルコンピュータ（ＰＣ）、サーバーコンピュータ、携帯型またはラップトップデバイス、スマートフォン、マルチプロセッサシステム、マイクロプロセッサベースシステム、光学走査装置、測定デバイス／器具、セットトップボックス、プログラム可能コンシューマー電子機器、ネットワークＰＣ、ミニコンピュータ、メインフレームコンピュータ、上記システムまたはデバイスのうちのいずれかを含む分散コンピューティング環境等が挙げられるが、これらに限定されない。本発明との使用に好適なコンピュータシステムはまた、測定器具に埋め込まれてもよい。
【００６７】
いくつかの例では、ベイジアンＮ−対立遺伝子遺伝子型決定（ＢＡＮＧ）アルゴリズム及び他の遺伝子型決定アルゴリズムは、コンピュータシステム１上で記憶及び／または実装され得る。複対立遺伝子遺伝子型決定アルゴリズムは、複対立遺伝子マーカーについて試料から得られた強度データに適用され得る。
【００６８】
アルゴリズム詳細
ＢＡＮＧアルゴリズムは、以下のステップで進めることができる。最初に、アルゴリズムは、複数の試料における各対立遺伝子についてバックグラウンドシグナルを推定することができる。次いで、アルゴリズムは、対立遺伝子の対を判別し、Ａｆｆｙｍｅｔｒｉｘ，Ｉｎｃ．からのＡｘｉｏｍ（登録商標）ＧＴ１またはＢＲＬＭＭ−Ｐアルゴリズム、またはＩｌｌｕｍｉｎａ，Ｉｎｃ．からのＧｅｎＴｒａｉｎアルゴリズムを用いるＧｅｎＣａｌｌソフトウェアなどの二対立遺伝子遺伝子型決定アルゴリズムを使用して、適切な試料を遺伝子型決定して、試料の大部分または全ての初期コールを入手する。次に、共役事前値を対応する試料のシグナルと組み合わせて、各二倍体遺伝子型クラスタに対応するシグナルの事後値、多変量正規分布を入手し、遺伝子型の最終割り当てを、各分布におけるメンバーシップの確率に基づいて試料に割り当てることができる。
【００６９】
いくつかの実施形態では、複対立遺伝子遺伝子型決定は、対立遺伝子対を同定するための二対立遺伝子遺伝子型決定技法を活用することができる。例えば、二対立遺伝子遺伝子型決定では、対立遺伝子強度データは、対数シグナル空間において、コントラスト及びサイズ値（例えば、シグナル強度）に変換され得る。図３は、対立遺伝子強度の、コントラスト及びサイズへの対数変換の例示的なプロットを示す。本明細書において使用されるデータは、人工のものであり、単に例証のために使用される。以下の等式を使用して、対立遺伝子Ａ及び対立遺伝子Ｂの強度に基づいてコントラスト及びサイズの値を算出することができる。
【数１】
2019500706.tif 000003
【数２】
2019500706.tif 000004
【００７０】
次いで、変換された強度データをクラスタ化して、初期コールを割り当てるためにデータを分割することができる。各対立遺伝子対について、全ての試料からのそれらの対立遺伝子に対するシグナルを、Ａｘｉｏｍ（登録商標）ＧＴ１アルゴリズムを使用してクラスタ化し、ＳＮＰ特異的事前値及びアルゴリズムパラメータを用いることができる。すなわち、各対立遺伝子対を表すクラスタが存在し得る。
【００７１】
図４は、二対立遺伝子遺伝子型決定アルゴリズムにおいてクラスタに割り当てられる試料の例示的なプロットを示す。図４におけるプロットは、対立遺伝子対ＢＢ、ＡＢ、及びＡＡのクラスタ、ならびに二次元空間の下のグラフにプロットされる密度を表す。変換された強度のプロットに基づいて、試料を異なるクラスタに割り当てることができ、データの対数尤度は、分布及びクラスタ割り当てを考慮して計算される。例えば、アルゴリズムは、Ｘ軸上のデータ間で垂直境界の全ての可能な配置を評価し、各区分について、クラスタ位置に関するデータ及びベイジアン事前値の組み合わせを考慮して、事後値尤度を計算することができる。クラスタ中心及び分散は、最も可能性のあるデータ区分を使用してデータ及び事前値の重み付き組み合わせから推定され得る。追加として、クラスタの各々における各試料の事後確率を計算することができる。クラスタのうちのいずれにも一致しない試料を同定し、「ｏｃｅａｎ」クラスタに追加することができ、確率は再正規化され得る。コールは、最高事後確率を有するクラスタに割り当てられてよく、この最高事後確率が低すぎる場合、コールは割り当てられない場合がある。
【００７２】
複対立遺伝子遺伝子型決定も同様に、Ａｘｉｏｍ（登録商標）ＧＴ１アルゴリズムを利用して、初期クラスタを設定し、最終遺伝子型コール及び信頼レベルを割り当てることができる。しかしながら、複対立遺伝子遺伝子型決定アルゴリズムはまた、尤度算出をｎ次元空間まで拡大し、クラスタのうちのいずれにも良く適合しない試料について追加される「ｏｃｅａｎ」クラスタと共に、各クラスタに属する各試料の事後確率を算出することができる。
【００７３】
図５は、複対立遺伝子遺伝子型決定方法の高レベルフローチャートを示す。図５のフローチャートは、ＢＡＮＧアルゴリズムに関与するステップの概要を提供する。
【００７４】
シグナル収集及びバックグラウンド推定
【００７５】
シグナルデータは、最初に全ての試料及び全ての可能な対立遺伝子について収集することができ、各試料は、２つより多くのシグナル値、１対立遺伝子当たり１つを有し得る。いくつかの実施形態では、試料中の複対立遺伝子マーカーに対するシグナルの取得は、複対立遺伝子マーカーを測定するための、アレイ上の複数のプローブとの試料のハイブリダイゼーションに基づき得る。試料は、全ての可能な二対立遺伝子の組み合わせにおいて、Ａｘｉｏｍ（登録商標）ＧＴ１アルゴリズムを使用して遺伝子型決定され得る。
【００７６】
アルゴリズムは、複対立遺伝子マーカーにおける各対立遺伝子（変異体）について、メトリクスを集めることができ、３個未満の変異体を有するマーカーをスキップする。各セットにおける対立遺伝子を分類し、二対立遺伝子対の各々について、メトリクスを集めることができる。照合される変異体の各々は、二対立遺伝子セットに対合されてもよく、各二対立遺伝子セットが遺伝子型決定され得る。例えば、３つの対立遺伝子Ａ、Ｂ、及びＣが潜在的に存在する場合、全ての試料は、Ａ／Ｂ、Ａ／Ｃ、及びＢ／Ｃ対立遺伝子の組み合わせを考慮して３度遺伝子型決定され得る。
【００７７】
対立遺伝子の各対について、全ての試料からのそれらの対立遺伝子に対するシグナルを、Ａｘｉｏｍ（登録商標）ＧＴ１アルゴリズムを使用してクラスタ化することができ、ＳＮＰ特異的事前値及びアルゴリズムパラメータを用いることもできる。
【００７８】
ホモ接合体クラスタに割り当てられた各試料について、他の対立遺伝子シグナルを、その他の対立遺伝子に対する平均バックグラウンドシグナルの算出に含めることができる。例えば、対立遺伝子Ａと対立遺伝子Ｂのクラスタ化において、ＡＡクラスタにおける試料のＢシグナルを、Ｂバックグラウンドシグナルの集合に追加することができる。同様に、ＢＢクラスタにおける試料のＡシグナルを、Ａバックグラウンドシグナルの集合に追加することができる。このプロセスは、対立遺伝子の各対について繰り返すことができ、バックグラウンドシグナルの平均及び標準偏差を、各対立遺伝子について算出することができる。いくつかの実施形態では、対立遺伝子バックグラウンドシグナルの各々を、全ての対立遺伝子対合にわたって平均化することができるが、他の実施形態では、各対立遺伝子の独立したバックグラウンドシグナル推定値を入手することができる。
【００７９】
全ての試料がＡＡ、ＡＢ、またはＡＣ遺伝子型を有することが見出された場合、対立遺伝子Ａバックグラウンドシグナルの推定値がない場合がある。対立遺伝子がいかなるバックグラウンドシグナルも有しないような場合、他の対立遺伝子の平均バックグラウンドシグナルの重み付き平均及びそれらの標準偏差の重み付き平均を代わりに使用することができる。いくつかの実施形態では、対立遺伝子に対するバックグラウンドシグナルの平均、分散、及び標準偏差を算出するために使用可能な値がない場合、大域的推定バックグラウンドシグナルを、対立遺伝子に使用することができる。大域的推定バックグラウンドシグナルは、全ての対立遺伝子に対する複数のバックグラウンドシグナルの平均であり得る。
【００８０】
各対合クラスタ化において、バックグラウンドシグナルは、問題の２つの対立遺伝子に対してのみ選択され得ることに留意されたい。すなわち、Ａ対Ｂクラスタ化において、Ｃバックグラウンドシグナルは、選択されない場合がある。試料が、様々な対合クラスタ化において１つより多くの他の対立遺伝子のホモ接合体と呼ばれる場合、この試料はまた、同じバックグラウンド推定に対して１回より多く寄与することができる。
【００８１】
特定の事前値は、遺伝子型決定ラウンドの間に使用される事前値とは異なり得るため、これらの事前値は、バックグラウンド算出ステップ中のオプションとして許容され得る。事前値が提供されない場合、汎用値が使用されてもよい。プローブセットのシグナル及びバックグラウンドは、試料サイズが０を超える場合に算出され得る。そうでなければ、これらのメトリクスは、試料サイズが１未満である場合、０に設定され得るチャネルバックグラウンドの標準偏差を例外として、−１に設定され得る。
【００８２】
二対立遺伝子対の各対立遺伝子についてのメトリクスは、二対立遺伝子プローブセットに対するホモ接合体コールのシグナルから派生し得る。対立遺伝子に対する平均シグナル（ａｖｇＳｉｇａｌｌｅｌｅ）は、その対立遺伝子（ａｌｌｅｌｅｈｏｍ）に対するホモ接合体コールのシグナルを合計し、次いでこれらのシグナル（ｎＳｉｇａｌｌｅｌｅ）に寄与した試料の総数で割ることによって派生され得る。対立遺伝子（ｂｇｎｄａｌｌｅｌｅ）のバックグラウンド値は、コールが対立遺伝子（Σａｌｌｅｌｅｉｎ  ｈｏｍ  ｃａｌｌ  ｎｏｔ＝ａｌｌｅｌｅ）に一致しないとき、ホモ接合体コール中に、その対立遺伝子に対するシグナルを付加することによって算出され得る。対立遺伝子（ａｖｇＢｇｎｄａｌｌｅｌｅ）のバックグラウンドの平均は、対立遺伝子からのこれらのシグナルの合計をシグナルの数で割ることによって算出することができる。分散（ｖａｒｉａｎｃｅＢｇｎｄａｌｌｅｌｅ）及び標準偏差（ｓｔｄｅｖＢｇｎｄａｌｌｅｌｅ）もまた、対立遺伝子に対するバックグラウンドシグナルについて算出され得る。所与の対立遺伝子のバックグラウンドにおいて見出される平均シグナルは、所与の対立遺伝子の個々のバックグラウンド閾値を設定するために、複数の標準偏差に付加され得る。
【００８３】
バックグラウンドシグナルの平均シグナル、バックグラウンドシグナル、平均、分散、標準偏差、及びそれぞれの各対立遺伝子についての他のパラメータは、以下の等式を使用して算出することができる。
【数３】
2019500706.tif 000005
【数４】
2019500706.tif 000006
【数５】
2019500706.tif 000007
【数６】
2019500706.tif 000008
【数７】
2019500706.tif 000009
【数８】
2019500706.tif 000010
【数９】
2019500706.tif 000011
【数１０】
2019500706.tif 000012
【００８４】
全てのチャネルに寄与したシグナルの総数を算出することもできる。全てのプローブセット（ｎｐｓ）に対する全体平均バックグラウンド（ａｌｌＡｖｇＢｇｎｄ）及び標準偏差（ａｌｌＡｖｇＳｔＤｅｖ）は、複対立遺伝子のセットにおける全てのプローブセットにわたって、重み付き平均バックグラウンド及び重み付き平均標準偏差の値を平均化することによって算出され得る。全体重み付き平均バックグラウンド（ａｌｌＷｅｉｇｈｔｅｄＡｖｇＢｇｎｄ）値及び全体重み付き平均標準偏差（ａｌｌＷｅｉｇｈｔｅｄＡｖｇＳｔＤｅｖ）はまた、これらのメトリクスの平均値を合計し、それらを総重量に寄与する試料の数によって重み付けした後、この値を試料の数で割ることによって算出され得る。バックグラウンドにシグナルを有しないことに起因して個々の対立遺伝子閾値のセットを有していなかった対立遺伝子のバックグラウンド閾値を算出することができる。この算出は、重み付き平均標準偏差に、パラメータＳＩＧ＿ＴＨＲＥＳＨＯＬＤ＿ＶＡＲ＿ＭＵＬＴＩＰＬＥによって特定される設定因子を掛けることを必要とし得る（例えば、現在のデフォルトは２であり得る）。この値を、全体重み付き平均バックグラウンドに付加することができる。
【数１１】
2019500706.tif 000013
【数１２】
2019500706.tif 000014
【数１３】
2019500706.tif 000015
【数１４】
2019500706.tif 000016
【数１５】
2019500706.tif 000017
【数１６】
2019500706.tif 000018
【００８５】
図６Ａ、６Ｂ、及び６Ｃは、各対立遺伝子のバックグラウンドシグナル算出の例示的なプロットを示す。各複対立遺伝子マーカーについて、全ての試料を全ての可能な二対立遺伝子の組み合わせにクラスタ化することができ、結果として生じるホモ接合性コールを使用して、バックグラウンドシグナルの平均及び分散を推定することができる。図６Ａ〜６Ｃに示される実施例において、ｒｓ３０９１２４４は、Ａ／Ｃ／Ｔ三対立遺伝子マーカーであり、可能な二対立遺伝子の組み合わせとしては、Ｃ対立遺伝子対Ｔ対立遺伝子（図６Ａ）、Ｃ対立遺伝子対Ａ対立遺伝子（図６Ｂ）、及びＴ対立遺伝子対Ａ対立遺伝子（図６Ｃ）が挙げられる。３つのバックグラウンドシグナル推定値は、およそ１，３５０〜およそ１，７００の範囲である。
【００８６】
図７Ａ、７Ｂ、及び７Ｃは、遺伝子型決定された試料のサブセットの初期分割の例示的なプロットを示す。例えば、試料のサブセットは、可能な二対立遺伝子の組み合わせの各々において遺伝子型決定され得る。結果として生じるコールは、仮の複対立遺伝子遺伝子型コールに統合され得る。図７Ａにおいて、「高Ａシグナル」を有する試料は、Ｃ対立遺伝子対Ｔ対立遺伝子クラスタ化プロットから除去され得る。「高Ａシグナル」は、対立遺伝子Ａバックグラウンド平均に加えて２標準偏差を超えるシグナルを示し得る。図７Ｂにおいて、高Ｔシグナルを有する試料は、Ｃ対立遺伝子対Ａ対立遺伝子クラスタ化プロットから除去され得、図７Ｃにおいて、高Ｃシグナルを有する試料は、Ｔ対立遺伝子対Ａ対立遺伝子クラスタ化プロットから除去され得る。
【００８７】
アルゴリズム設定
変異体を所与のマーカーにマッピングするための情報は、アルゴリズムの実装中にアクセスされるファイル（例えば、ＣＤＦファイル）に含まれ得る。このアルゴリズムを実行するプログラム（例えば、コンピュータシステム１上で実行するプログラム）は、複対立遺伝子マーカーの事前値ファイルならびに設定を読み取ることができる。複対立遺伝子遺伝子型決定アルゴリズムの設定は、二対立遺伝子遺伝子型決定中に使用されるパラメータ、ならびに複対立遺伝子遺伝子型決定のために割り当てられた異なる初期デフォルト値を有するパラメータを含み得る。複対立遺伝子遺伝子型決定のための初期コール割り当ては、二対立遺伝子遺伝子型決定アルゴリズムと同じパラメータ及び設定を使用可能にすることができる。以下の表１は、複対立遺伝子遺伝子型決定のための最終コール割り当てが有し得るパラメータを含み、これらは初期ステップとは異なり得る。
【表１】
2019500706.tif 000019
【００８８】
初期遺伝子型割り当て
各対立遺伝子に対するバックグラウンドシグナルを算出した後、アルゴリズムは、対立遺伝子シグナル及びバックグラウンドシグナルに基づいて、各試料の初期遺伝子型コールを対立遺伝子対に割り当てることができる。例えば、種々の二対立遺伝子プローブセットの組み合わせは、アルゴリズムのプログラムファイルにおけるクラスからのオブジェクトを使用して遺伝子型決定され得る。
【００８９】
各対立遺伝子は、バックグラウンドシグナルの推定値を有してよく、試料は、その対立遺伝子のシグナルが既定の閾値を超える場合、対立遺伝子のバックグラウンドを超えるシグナルを有するとみなされ得る。いくつかの実施形態では、既定の閾値は、ａｖｇＢｇｎｄａｌｌｅｌｅ＋２＊ｓｔｄｅｖＢｇｎｄａｌｌｅｌｅに等しくなるように算出され得る。対立遺伝子の各対について、アルゴリズムは、任意の他の対立遺伝子においてまたはいずれの代替対立遺伝子においても、バックグラウンドシグナルを超えるシグナルを有しない試料のサブセットを同定することができる。例えば、対立遺伝子Ａ対対立遺伝子Ｂを考慮するとき、対立遺伝子Ｃ、対立遺伝子Ｄ等においてバックグラウンドを超えるシグナルを有しない全ての試料を、遺伝子型決定中に含め、分類することができる。換言すれば、二対立遺伝子の組み合わせの遺伝子型決定の各ラウンド中、そのラウンド中に遺伝子型決定されない他の対立遺伝子のうちの１つが、バックグラウンド閾値を超えるシグナルを有する場合、試料は、現在の遺伝子型決定ラウンドから除外され得る。
【００９０】
対立遺伝子の各対について、アルゴリズムは、試料のサブセットにおける試料の数（例えば、バックグラウンドを超える他の対立遺伝子シグナルを有しない試料）が、既定の最小値を超えるかどうかを判別することができる。例えば、最小数より多い（例えば、３または任意の数）の適切な試料が見出された場合、それらの試料は、Ａｘｉｏｍ（登録商標）ＧＴ１アルゴリズムを使用して対応する対立遺伝子対に表される２つの対立遺伝子について遺伝子型決定され得、特定の事前値及びアルゴリズムパラメータを用いることができる。この決定ステップは、最小数より多くの試料が見出された対立遺伝子の各対に対して繰り返すことができる。プロセスの最後に、試料は、種々の反復から０、１、またはそれ以上のコールを有し得る。
【００９１】
現在遺伝子型決定されている二対立遺伝子の組み合わせに特異的であり得る事前値は、特定の事前値が提供されない場合に使用されてもよい。遺伝子型決定された試料のコール、分類統計、二対立遺伝子比較の数、及び指標は、遺伝子型決定の全ラウンドについて記憶され得る（例えば、コンピュータシステム１によって記憶される）。
【００９２】
二対立遺伝子コールの複対立遺伝子コールへの複合
各試料の二対立遺伝子コールの全てを収集することができ、次いで各試料のコールの集合を単一の仮の遺伝子型コールに分解してもよい。各二対立遺伝子コールについて、プローブセットが照合している２つの対立遺伝子は、対応する複対立遺伝子シグナル、例えば、Ａ、Ｂ、Ｃ、Ｄ、Ｅ、Ｆ等に辞書学的にマップされ得る。例えば、１つが三対立遺伝子Ａ／Ｃ／Ｔマーカーを照合している場合、Ａ対立遺伝子はＡシグナルに、Ｃ対立遺伝子はＢシグナルに、Ｔ対立遺伝子はＣシグナルにマップされる。二対立遺伝子Ｃ／Ｔプローブセットに対するコールを行うために、アルゴリズムは、対応する二対立遺伝子コールを複対立遺伝子コールにマップすることができる。コールが−１である場合、アルゴリズムは、「ノーコール値」に戻り得る。コールが０である場合、戻る複対立遺伝子コールは、２つのＣ対立遺伝子を有することに対応するＢＢである。コールが２である場合、戻る複対立遺伝子コールは、２つのＴ対立遺伝子を有することに対応するＣＣである。コールが１である場合、ヘテロ接合体ＣＴコールに対応するＢＣが戻され得る。全ての二対立遺伝子コールを、各試料に対して収集することができ、最も頻繁に行われた二対立遺伝子コールが、試料に割り当てられ得る。例えば、アルゴリズムは、各試料において最も頻繁に発生するコールを選択するために、各試料のコールを比較することができる。最も頻繁に行われたコールに同点がある場合、一致しないコールが試料に割り当てられ得る。いくつかの実施形態では、コール間に同点がある場合、「ノーコール」値が試料に割り当てられ得る。試料が反復のうちのいずれにも含まれなかった場合、「ノーコール」値が試料に割り当てられ得る。
【００９３】
多変量正規分布及び最終遺伝子型割り当て
初期コールが割り当てられた後、シグナルを、各クラスタを説明する多変量正規分布に適合させて、試料が所与のクラスタから派生した可能性を判別することができる。すなわち、アルゴリズムは、対立遺伝子及び初期コールによってサマリーシグナルを記述することができ、サマリーシグナルのファイルが、事前値ファイルと共に、そのアルゴリズムを実行するプログラムによって読み取られ得る。シグナルは、対数シグナル空間に変換されてよく、各プローブセットが、クラスタの各々に対応する事前値と共に、全ての可能なクラスタに割り当てられ得る。クラスタの観測数、平均、及び共分散は、初期コールから派生され得る。
【００９４】
換言すれば、アルゴリズムは、初期コール及び事前値（例えば、他のデータ上で訓練された汎用またはＳＮＰ特異的事前値）を使用して、対数シグナル空間における各二倍体遺伝子型クラスタの多変量正規分布を算出することができる。各二倍体遺伝子型クラスタについて、事前値は、そのクラスタに一時的に割り当てられた各試料のｌｏｇ２シグナルで更新され得る。
【００９５】
所与のクラスタを説明する多変量正規の平均及び共分散は、そのクラスタの事前パラメータと組み合わされたそのクラスタのデータを使用して判別され得る。多変量正規分布に使用される共役事前値は、ｎｏｒｍａｌ−ｉｎｖｅｒｓｅ−Ｗｉｓｈａｒｔ形態であり得る。これらの事前パラメータは、アルゴリズムとの使用のためにロードされたファイルを通じて入力として使用可能であり得る。これらのパラメータのデフォルト値は、ファイルが提供されない事象において、プログラムを通じて設定され得る。これらのパラメータは、以下の様式で（以下の等式によって示されるように）クラスタデータと複合され得る。
【数１７】
2019500706.tif 000020
【数１８】
2019500706.tif 000021
【数１９】
2019500706.tif 000022
【数２０】
2019500706.tif 000023
【数２１】
2019500706.tif 000024
【００９６】
いくつかの実施形態では、事後パラメータは、適宜調整されてよい。例えば、データにおけるシグナル強度を使用して、空のクラスタを予想される位置に配置することができ、それはこれらの位置が、事前ファイルにおいて特定された位置とは異なり得るためである。平均バックグラウンド対立遺伝子シグナル及び平均対立遺伝子シグナルは、データ内のホモ接合体シグナルから集めることができる。空のクラスタについて、シグナル強度は、平均対立遺伝子シグナルから得られ、次いで下方調整され得る。クラスタが対立遺伝子を含まない場合、シグナルは、対立遺伝子に対するバックグラウンドシグナルから得ることができる。対立遺伝子に対する実際の対立遺伝子シグナルまたはバックグラウンドシグナルが利用可能でない場合、予想量の差を存在するシグナルに加算するか、または減算することによって算出することができる。クラスタ間の予想量の差が、２つの変数に含まれてもよく、１つは、０個の対立遺伝子を有するクラスタと１個の対立遺伝子を有するクラスタとの間の予想距離を特定するためであり（ｃｏｐｙＮｕｍｂｅｒ０ｔｏ１）、もう１つは、１個の対立遺伝子を有するクラスタと２個の対立遺伝子を有するクラスタとの間の予想距離を特定するためである（ｃｏｐｙＮｕｍｂｅｒ１ｔｏ２）。
【００９７】
追加として、最終チェックを行い、クラスタが正しい順序であることを確認することができる。例えば、Ｂ対立遺伝子（ＢＢ、ＡＢ）を含むクラスタは、Ｂ対立遺伝子を含まないクラスタ（ＣＣ、ＣＤ）より高いシグナルを対立遺伝子Ｂに対して有し得る。２つの対立遺伝子を含むクラスタはまた、その対立遺伝子の１つのコピーのみを含むクラスタよりわずかに高いシグナルを、その対立遺伝子に対して有することが予想され得る。例えば、ＢＢは、クラスタＡＢより高いシグナルをＢにおいて有し得る。この方法はまた、２つのシェルバリア値によって特定された距離がクラスタを分離することを確実にし得る。シェルバリア値は、問題の２つのクラスタ間の距離を特定することができる。変数「ｓｈｅｌｌｂａｒｒｉｅｒ０ｔｏ１」は、０個の対立遺伝子を有するクラスタと１個の対立遺伝子を有するクラスタとの間の最小距離であり得るが、「ｓｈｅｌｌｂａｒｒｉｅｒ１ｔｏ２」は、１個の対立遺伝子を有するクラスタと２個の対立遺伝子を有するクラスタとの間の最小距離であり得る。クラスタＡＡ、ＡＢ、及びＢＢ、ならびに対立遺伝子Ａについて、「ｓｈｅｌｌｂａｒｒｉｅｒ０ｔｏ１」は、ＢＢクラスタにおけるＡ対立遺伝子の位置とＡＢクラスタにおけるＡ対立遺伝子の位置との間の最小距離を特定し得るが、「ｓｈｅｌｌｂａｒｒｉｅｒ１ｔｏ２」は、ＡＢクラスタにおけるＡ対立遺伝子とＡＡクラスタにおけるＡ対立遺伝子との間の最小距離を特定することができる。
【００９８】
したがって、必要に応じて、事後平均位置は、順序を保存するように調整され得る。例えば、ＡＡクラスタは、ＡＢ、ＡＣ等のクラスタより大きいｌｏｇ２  Ａシグナルを有することができ、順にＡ対立遺伝子を含まない全てのクラスタより大きいｌｏｇ２  Ａシグナルを有し得る。対立遺伝子コピー数１を有するクラスタを、対立遺伝子コピー数０を有するクラスタと比較することができ、それらの平均ｌｏｇ２対立遺伝子シグナルは（必要に応じて）最大コピー数０  ｌｏｇ２対立遺伝子シグナル＋Ｓ（構成可能なパラメータであり得る）まで増加させることができる。次いで、この調整を繰り返し、ホモ接合体クラスタ（コピー数２）をヘテロ接合体クラスタ（コピー数１）と比較することができる。
【００９９】
確立された事後分布を用いて、各分布（クラスタ）におけるメンバーシップの対数尤度（Ｌ）を、各試料について以下のように算出することができる。
【数２２】
2019500706.tif 000025
【数２３】
2019500706.tif 000026
【数２４】
2019500706.tif 000027
【０１００】
対数尤度のべき乗は、最小値を減算するか（負の対数尤度を扱う場合）、または尤度を最大値から減算するかのいずれかによって、尤度値を再スケーリングすることにより算出され得る。「ｏｃｅａｎ」調整値は、「ｏｃｅａｎ」パラメータの値を最小尤度値に乗算することによって算出され得る。
【０１０１】
各クラスタにおける、または均一「ｏｃｅａｎ」クラスタにおけるメンバーシップの確率は、各試料について対数尤度から算出することができ、試料は、最大確率を有するクラスタに割り当てられ得る。すなわち、最終遺伝子型コールは、特定のクラスタのメンバーシップの確率に基づいて各試料に割り当てられ得る。他のクラスタのうちのいずれかにおける試料のメンバーシップの確率として定義される信頼値は、各試料について算出されてよく、既定の閾値と比較され得る。その閾値を超える試料は各々、「ノーコール」値に割り当てられ得る。
【０１０２】
更なる実施例により、図８は、複対立遺伝子遺伝子型決定のためのＮ次元ガウス混合モデルの例を示す。図８のモデルは、最終複対立遺伝子コールを割り当てるために利用されてよく、このモデルは、共役事前値（汎用またはリアルデータ上で訓練された）を、各遺伝子型に一時的に割り当てられる試料からのデータと複合することによって構築され得る。各遺伝子型クラスタにおけるメンバーシップの事後確率を、各試料について算出することができ、最大尤度を有する遺伝子型は、それが指定された閾値を超える場合、最終遺伝子型コールとして割り当てられ得る。このステップは、初期分割からの任意の矛盾する遺伝子型コールを解消することができ、各試料について、可能な各遺伝子型の有意義な確率をもたらすことができる。
【０１０３】
ソフトウェア実装
更なる特定の実施形態によると、上記方法のうちの１つ以上は、ソフトウェアパッケージに含まれ、アレイデータまたは同様の遺伝子型データからの複対立遺伝子マーカーを自動的に遺伝子型決定することができる。そのようなソフトウェアパッケージは、ＢＡＮＧアルゴリズムの実行中に多くの異なるファイルを読み取ることができる。プログラムファイルの例としては、以下が挙げられる（但し、これらに限定されない）。
ＡｘｉｏｍＤＭＥＴＭｕｌｔｉａｌｌｅｌｉｃＣａｌｌｅｒ．ｊａｖａ
ＡｘｉｏｍＤＭＥＴＣｌｕｓｔｅｒｅｒ．ｊａｖａ
ＡｘｉｏｍＤＭＥＴＳｔｅｍ．ｊａｖａ
ａｓｓｉｇｎ＿ｆｉｎａｌ＿ｃａｌｌｓ．ｐｙ
【０１０４】
ＡｘｉｏｍＧＴ１．ｓｕｍｍａｒｙ．ｔｘｔ−複対立遺伝子セットに存在する全ての二対立遺伝子プローブセットのシグナルを含むサマリーファイル
【０１０５】
Ｐｒｏｂｅｓｅｔ  ｆｉｌｅ  （ａｎｎｏｔａｔｉｏｎ  ｆｉｌｅ）−どの複対立遺伝子セットにプローブセットが属するか、またそのプローブセットがウォブルセットの一部であるかどうかに関する情報を含むファイル。これらは、複対立遺伝子コールが実行され得る前に、ＡｘｉｏｍＤＭＥＴＳｕｍｍａｒｉｚｅｒ．ｊａｖａプログラムによる統合を必要とするため、プログラムは、ウォブルセットのプローブセットをスキップする場合がある。
【０１０６】
Ｒｅｆｅｒｅｎｃｅ  ｆｉｌｅ−参照コールを含むファイル。試験目的で使用される。
【０１０７】
Ｏｕｔｐｕｔ  ｆｉｌｅ  ｎａｍｅ−これは、複対立遺伝子プローブセットに対するコールを含むファイルの名前である。この名前は、統計を詳述し（＿ＰｒｏｂｅＳｅｔＳｕｍｍａｒｙ．ｔｘｔ）、ＳｐｏｔＦｉｒｅグラフ化プログラムと共に使用され得る（＿ｓｐｏｔｆｉｒｅ．ｔｘｔ）他の出力ファイルを生成するときに接頭辞として使用される。
【０１０８】
ＡｘｉｏｍＧＴ１．ｍｕｌｔｉａｌｌｅｌｉｃ＿ｓｕｍｍａｒｙ．ｔｘｔ−プログラムＡｘｉｏｍＤＭＥＴＭｕｌｔｉＡｌｌｅｌｉｃＣａｌｌｅｒ．ｊａｖａから生成されたサマリーファイル。
【０１０９】
ＡｘｉｏｍＧＴ１．ｍｕｌｔｉａｌｌｅｌｉｃ＿ｃａｌｌｓ．ｔｘｔ−プログラムＡｘｉｏｍＤＭＥＴＭｕｌｔｉＡｌｌｅｌｉｃＣａｌｌｅｒ．ｊａｖａからのコールファイル。
【０１１０】
プローブセット群（ｐｓ＿ｇｒｏｕｐ）を使用して、同じ複対立遺伝子マーカーを照合しているプローブセットの群を同定することができる。理想的には、複対立遺伝子セットにおける全てのプローブセットにｍｕｌｔｉ＿ａｓｉｄが割り当てられ得る。複対立遺伝子コーリングプログラムを通じて実行する前に統合される必要があり得る、複対立遺伝子セットにおけるプローブセットの各セットのウォブルセットを同定するための別の識別子も存在する。ａｌｌｅｌｅｓ＿ｆｗｄは、二対立遺伝子プローブセットが照合している対立遺伝子を同定するために依然として必要とされ得る。複対立遺伝子マーカーについて列挙されるアレイ上に存在する対立遺伝子の全てを有することが役立つ場合もある（ｍｕｌｔｉ＿ａｌｌｅｌｅｓフィールド）。この時点で、プログラムは、ａｌｌｅｌｅｓ＿ｆｗｄフィールドに基づいてチャネルを割り当てることができる。この理想的な状況は、データを実装から分離するために、対立遺伝子または二対立遺伝子ｐｒｏｂｅｓｅｔ＿ｉｄとチャネルとの間にいくらかのマッピングを有することであり得る。
【０１１１】
これらは、注釈ファイル内の必須データであり得る、ライブラリファイルにおいて使用可能であるべきである。
【０１１２】
ｐｒｏｂｅｓｅｔ＿ｉｄ−複対立遺伝子セットにおける異なる二対立遺伝子プローブセットを識別することができる方法を必要とする。現在の実装は、複対立遺伝子セットにおける二対立遺伝子プローブセットのｐｒｏｂｅｓｅｔ＿ｉｄを使用する。
【０１１３】
ｍｕｌｔｉａｌｌｅｌｉｃ−どのプローブセットが複対立遺伝子であるかを識別する方法を必要とするため、複対立遺伝子コーリングアルゴリズムを使用してコールされる必要がある。現在の実装は、そのプローブセットが、プローブセットの複対立遺伝子セットの一部であるかどうかを示すブールを使用する（０／１）
【０１１４】
ｍｕｌｔｉ＿ａｓｉｄ−複対立遺伝子プローブセット識別子。
【０１１５】
ｐｓ＿ｇｒｏｕｐ−複対立遺伝子セットにおけるプローブセットが識別され得る手段。現在、プローブセット群がこの目的で使用されているが、セット内の識別子とプローブセットとの間でマッピングが行われる限り、任意の識別子を使用することができ、ならびに識別する方法
【０１１６】
ｍｕｌｔｉ＿ａｌｌｅｌｅｓ−複対立遺伝子マーカーに対する全ての対立遺伝子
【０１１７】
ａｆｆｙ＿ｓｎｐ＿ｉｄ−二対立遺伝子プローブセットによって照合されているマーカーの識別子
【０１１８】
ｗｏｂｂｌｅ−プローブを使用して、標的変異体（ウォブル）に近い全ての変異体に対するマーカーを照合することができる。これらのウォブルセットは、遺伝子型決定される前にプローブセットに統合される必要がある。したがって、統合が起こる必要があるかどうかを識別する手段が必要であり得る。現在、ブールを使用して、プローブがウォブルセットの一部であるかどうかを示す（０／１）。これが統合を必要とするウォブルセットを識別するため、複対立遺伝子コーリングアルゴリズムは、現在、このブールが１に設定される全てのデータをスキップする。プログラムは最初に統合を行い、続いて遺伝子型決定を行うため、これはプロトタイプを超えて必要とされないであろう。
【０１１９】
ａｌｌｅｌｅｓ＿ｆｗｄ−複対立遺伝子セットにおける二対立遺伝子プローブセットの統合の各々を識別することができる手段。順方向に照合されている対立遺伝子は、これまでこの目的を果たしてきた。
【０１２０】
ＤＭＥＴｃａｌｌ−ＤＭＥＴコードに可能なコールを記憶する。対応する数値ＤＭＥＴコードに対するコールの二対立遺伝子コードをマップする方法を必要とする。
【０１２１】
サマリーファイルは、以下のデータを含み得る。ａ＿ｉｊ（サマリーファイルからの、プローブセットｉ及び試料ｊに対するチャネルＡシグナル）、ｂ＿ｉｊ（サマリーファイルからの、プローブセットｉ及び試料ｊに対するチャネルＢシグナル）。
【０１２２】
参照ファイルは、複対立遺伝子プローブセットに対する参照コールを含み得る。
【０１２３】
追加のパラメータ及び設定
以下のパラメータは、可能なユーザ設定とみなされ得る。
【０１２４】
ＡｘｉｏｍＤＭＥＴＭｕｌｔｉＡｌｌｅｌｉｃＣａｌｌｅｒ．ｊａｖａは、以下のパラメータを有する。
ＯＵＴＰＵＴ＿ＣＡＬＬＳ＿ＮＵＭＥＲＩＣ＿ＣＯＤＥ−数値ＤＭＥＴコードがコールファイルに使用されるべきかどうかを指定するブール
【０１２５】
ＡｘｉｏｍＤＭＥＴＳｔｅｍ．ｊａｖａは、以下のパラメータを有する。
ＭＩＮ＿ＬＯＧ２＿ＳＩＧ−ｌｏｇ２シグナルの最小値（現在は０．０００００１に設定されている）
ＳＩＧ＿ＴＨＲＥＳＨＯＬＤ＿ＶＡＲ＿ＭＵＬＴＩＰＬＥ−バックグラウンド閾値算出に使用される全体重み付き平均分散に適用される乗算。
【０１２６】
ＡｘｉｏｍＤＭＥＴＣｌｕｓｔｅｒｅｒ．ｊａｖａプログラムは、以下のパラメータを有する。
ＷＯＲＫＩＮＧ＿ＤＩＲ＿ＰＡＴＨ−二対立遺伝子プローブセットをコール及び特徴付けるために作成された一次ファイルのためのパス
ＳＵＭＭＡＲＹ＿ＦＩＬＥ＿ＮＡＭＥ−１つの二対立遺伝子プローブセットの２つのチャネルからのシグナルを含む、作成されるサマリーファイルの名前
ＰＯＳＴＥＲＩＯＲ＿ＦＩＬＥ＿ＮＡＭＥ−サマリーファイルのａｐｔ−ｓｕｍｍａｒｙ−ｇｅｎｏｔｙｐｅプログラムによって生成された二対立遺伝子プローブセットのモデルファイル
ＣＡＬＬＳ＿ＦＩＬＥ＿ＮＡＭＥ−ａｐｔ−ｓｕｍｍａｒｙ−ｇｅｎｏｔｙｐｅ  ｆによりサマリーファイルから生成された二対立遺伝子プローブセットのコールファイルの名前
ＭＥＴＲＩＣＳ＿ＦＩＬＥ＿ＮＡＭＥ−ａｐｔ−ｓｕｍｍａｒｙ−ｇｅｎｏｔｙｐｅによって生成されたファイルに基づいて、Ｐｓ＿ｍｅｔｒｉｃｓによって生成された二対立遺伝子プローブセットのメトリクスファイルの名前
ＰＥＲＦＯＲＭＡＮＣＥ＿ＦＩＬＥ＿ＮＡＭＥ−メトリクスファイル及びａｐｔ−ｓｕｍｍａｒｙ−ｇｅｎｏｔｙｐｅによって生成された他のファイルを使用して作成された二対立遺伝子プローブセットの性能（分類）ファイルの名前
ＡＰＴ＿ＳＵＭＭＡＲＹ＿ＧＥＮＯＴＹＰＥ−プログラムのための実際のパス
ＯＵＴＰＵＴ＿ＤＩＲ＿ＮＡＭＥ−二対立遺伝子プローブセットについて、ａｐｔ−ｓｕｍｍａｒｙ−ｇｅｎｏｔｙｐｅにより生成された遺伝子型結果が記憶される場所の名前
ＧＥＮＯＴＹＰＥＳ＿ＦＩＬＥ＿ＰＡＴＨ−コールファイルのパス及び名前
ＰＳ＿ＣＬＡＳＳ＿ＦＩＬＥ＿ＰＡＴＨ−性能ファイルのパス及び名前
ＳＣＲＩＰＴ＿ＮＡＭＥ−二対立遺伝子プローブセットのデータ上でａｐｔ−ｓｕｍｍａｒｙ−ｇｅｎｏｔｙｐｅ、Ｐｓ＿ｍｅｔｒｉｃｓ、及びＰｓ＿ｃｌａｓｓｉｆｉｃａｔｉｏｎをコールするために使用されるスクリプトの名前
ＣＭＤ−スクリプトが依然として存在しない場合、二対立遺伝子プローブセット上で実行されるであろうスクリプトの文字列
【０１２７】
プローブセット選択：
複対立遺伝子コールは、プローブセットファイルにおいて複対立遺伝子であり、ウォブルセットに属さないと指定されるプローブセットに対して生成され得る。「１」を使用して、プローブセットが複対立遺伝子であると指定することができ、「０」を使用して、プローブセットがウォブルセットの一部でないと指定することができる。
【０１２８】
出力ファイル
いくつかの実施形態では、４つの初期出力ファイルが、複対立遺伝子遺伝子型決定アルゴリズムから生成され得る。出力ファイルは全て、ユーザによって指定される出力ファイル名（ＯｕｔＦｉｌｅＮａｍｅ）であり得る、同じ接頭辞を有し得る。出力ファイルの例を下に記載する。
【０１２９】
ＯｕｔＦｉｌｅＮａｍｅ．ｔｘｔ−全てのプローブセット群に対する各試料の複対立遺伝子コールを含むコールファイル。コールファイルは、列に試料名を有する通常のＡｘｉｏｍＧＴ１．ｃａｌｌｓ．ｔｘｔファイルに類似している。しかしながら、ｐｒｏｂｅｓｅｔ＿ｉｄ列は、プローブセット群の識別子によって集められ、これは２つ以上の二対立遺伝子プローブセットによって共有される識別子であるべきである。コールは、フォーマットＡＡ〜ＦＦであり、それらはＤＭＥＴコールフォーマットである。所与のマーカーについて、そのマーカーを照合している対立遺伝子は、実際の対立遺伝子をコールにマップするために、再びこれらの記号に辞書学的に連結されるべきである。３つの他の可能なコールが存在し、それらはノーコールである。ＮｏｔＡｖａｉｌａｂｌｅ−試料が遺伝子型決定されなかったため、他のチャネルの全てにおいて過剰なシグナルが存在していたコール。
【０１３０】
ＣａｌｌｓＩｎｃｏｎｓｉｓｔｅｎｔ−二対立遺伝子コールが複合されたときに、等しくコールされた２つの異なるコールが存在していた。
【０１３１】
ＸＸ−遺伝子型決定及び遺伝子型コールの複合中にノーコールが割り当てられていなかった。
【０１３２】
ＯｕｔＦｉｌｅＮａｍｅ＿ｓｕｍｍａｒｙ．ｔｘｔ−対立遺伝子シグナルに変換されたチャネルシグナルを有するサマリーファイル
【０１３３】
ＯｕｔＦｉｌｅＮａｍｅ＿ＰｒｏｂｅｓｅｔＳｕｍｍａｒｙ．ｔｘｔ−プローブセット群を要約するデータ。列は以下のとおりである。
【０１３４】
ｐｓ＿ｇｒｏｕｐ−プローブセット群の識別子を含む
【０１３５】
ｍｕｌｔｉ＿ａｓｉｄ−複対立遺伝子プローブセットの識別子
【０１３６】
ｍｕｌｔｉ＿ａｌｌｅｌｅｓ−マーカーに対して照合されている対立遺伝子
【０１３７】
ｔｉｌｅ＿ｓｔｒａｎｄ−順方向または逆方向
【０１３８】
Ｌｉｎｅ−ウォブルをグループ分けするための識別（複対立遺伝子または二対立遺伝子いずれかのプローブセット識別子が今後使用されるべきである）
【０１３９】
Ｏｆｆｓｅｔ−このプローブセット群に対するオフセット
【０１４０】
ｐｒｏｂｅＬｅｎｇｔｈ−このプローブセット群におけるプローブの長さ
【０１４１】
ｎＡｌｌｅｌｅｓＦｏｕｎｄ−コーリングプロセス中に実際に見出された対立遺伝子の数
【０１４２】
ＡｌｌｅｌｅｓＦｏｕｎｄ−予想した対立遺伝子のうちのどの対立遺伝子が見出されたか
【０１４３】
ｎＢｉａｌｌｅｌｉｃＣｏｍｂｉｎａｔｉｏｎｓ−二対立遺伝子の組み合わせの数
【０１４４】
ＡｖｅＢｇｎｄ−このプローブセット群に対する平均バックグラウンド値
【０１４５】
ＶａｒＢｇｎｄ−このプローブセット群に対するバックグラウンドの分散
【０１４６】
ＷｅｉｇｈｔｅｄＡｖｅＢｇｎｄ−バックグラウンド閾値を算出するために使用される重み付き平均バックグラウンド値
【０１４７】
ＷｅｉｇｈｔｅｄＶａｒＢｇｎｄ−バックグラウンド閾値を算出するために使用される重み付き平均標準偏差バックグラウンド値
【０１４８】
ＳｉｇｎａｌＴｈｒｅｓｈｏｌｄ＿ｗｅｉｇｈｔｅｄＢＮＤＰｌｕｓ２ｓｄ−バックグラウンド閾値値を使用して、シグナルがバックグラウンドを超えるかどうかを判別する。
【０１４９】
ＯｕｔＦｉｌｅＮａｍｅ＿ｓｐｏｔｆｉｒｅ．ｔｘｔ−プローブセット群の全てを要約し、クラスタをｓｐｏｔｆｉｒｅで描くために使用することができるファイル。これは、コードをプロトタイプ化し、デバッギングするために作成されるファイルである。データの一部は、デバッギング目的で将来的に望ましい場合がある。
【０１５０】
以下のファイルは、ａｓｓｉｇｎ＿ｆｉｎａｌ＿ｃａｌｌｓ．ｐｙ  ｓｃｒｉｐｔからの出力である。
【０１５１】
ｃａｌｌｓ  ｆｉｌｅ−ファイルは、複対立遺伝子遺伝子型決定アルゴリズムから割り当てられた最終コールを含む
【０１５２】
ｃｏｎｆｉｄｅｎｃｅｓ  ｆｉｌｅ−割り当てられたコールの信頼度
【０１５３】
ｓｎｐ−ｐｏｓｔｅｒｉｏｒ  ｆｉｌｅ−後続の実行で事前値ファイルとして使用され得る、クラスタの事後パラメータを含むファイル
【０１５４】
ｐｒｏｂａｂｉｌｉｔｉｅｓ  ｆｉｌｅ−ファイルは、クラスタの各々に属する所与の試料の可能性を含む
【０１５５】
複対立遺伝子遺伝子型決定−アルゴリズム検証
実施例では、Ａｘｉｏｍ（登録商標）アレイは、約１００，０００個の複対立遺伝子マーカーのプローブセットと共に設計され、各々が１０００  Ｇｅｎｏｍｅｓ第３相データにおいて２つを超える対立遺伝子を有する。マーカーは、以下の４つの試料プレート：ＣｏｒｉｅｌｌからのＴ０１（ＣＥＵ）、Ｔ０２（ＣＨＢ＋ＪＰＴ）、Ｔ０３（ＹＲＩ）、及びＶ１２（ＬＷＫ）ＨａｐＭａｐ試料プレート上の試料間で３番目に最も一般的な対立遺伝子の少なくとも１つの例の存在に対して選択された。プローブセットは、ほとんどの場合、最大２つのＮＩＶが許容された数千個のエクソンマーカーのセットを除いて、任意の大陸集団において１％超のわずかな対立遺伝子頻度を有する近くの干渉変異体（ＮＩＶ）を回避するように設計された。プローブセットは、４つの複製においてタイル配置されたエクソンプローブセットを除いて、２つの複製においてタイル配置された。マーカーは、常染色体性染色体及び染色体Ｘから選択した。
【０１５６】
上に列挙される４つの集団プレートを、Ａｘｉｏｍアレイプレート上でアッセイした。試料品質制御（ＱＣ）を、３，０００  ＡＦＦＸ−ＳＮＰ二対立遺伝子制御プローブセットを用いて通常どおり行い、ＱＣコール率を評価した。ＱＣに合格した試料からのシグナルを、ＢＡＮＧアルゴリズムのプロトタイプ実装に対する入力として使用した。汎用事前値及びデフォルトアルゴリズムパラメータを、各ステップで使用した。プローブセットは、そのプローブセットが以下の基準を満たした場合、良好に動作するとみなした。
１．９０％コール率
２．各対立遺伝子コピー数について５０％を超える対立遺伝子ＣＮ一致
ａ．コピー数２に対する一致は、正しくコールされたホモ接合体の数として各対立遺伝子について別個に算出し、１０００  Ｇｅｎｏｍｅｓ参照から予想されるホモ接合体の数で除算した。ノーコールは、エラーとしてカウントした。
ｂ．コピー数１に対する一致は、正しくコールされたヘテロ接合体（対立遺伝子を含む）の数として各対立遺伝子について別個に算出し、対立遺伝子を含むヘテロ接合体の予想数で割った。すなわち、対立遺伝子ＡのＣＮ１一致は、予想されるＡＢ、ＡＣ等の遺伝子型を有する試料中の正確なコールの分数であった。ノーコールは、エラーとしてカウントした。
【０１５７】
これらの基準によって、Ａｘｉｏｍアレイにおけるプローブセットの約４２％が良好に動作した。図９は、複対立遺伝子プローブセットコール率対予想される各遺伝子型クラスタに対する一致の重み付きでない平均の例示的なプロットを示す。一致は、予想される各遺伝子型について算出することができ、次いで各クラスタにおいて予想される試料数に関係なく平均化され得る。例えば、予想される遺伝子型は、ＡＡ、ＡＢ、ＡＣであり得るが、遺伝子型ＢＢ、ＣＣ、ＢＣを有する予想される試料は存在しない場合がある。したがって、それらのクラスタは省略されてもよい。ノーコール割り当ては、不正とみなされ得る。Ａｘｉｏｍアレイ上の全ての複対立遺伝子プローブセットが示され、ＣＥＵ、ＣＨＢ、ＪＰＴ、ＹＲＩ、及びＬＷＫ集団からの約３６０個体に関して遺伝子型決定される。大きな少数プローブセットは、高いコール率及び一致を有し得る（図９の右上角）。性能の範囲にわたって、高いコール率及び低い一致で別の密度ピーク及びプローブセットが存在し得る。
【０１５８】
図１０は、いくつかの変換されたプローブセットに対するコール及び参照遺伝子型の例示的なプロットを示す。例えば、図１０のプロットは、ＢＡＮＧコール対１０００  Ｇｅｎｏｍｅｓ第３相参照遺伝子型を示す。異なる三対立遺伝子マーカーの３つのプローブセットを示す。全てのプロットは、約３６０試料に対するスクリーニングアレイからのｌｏｇ２シグナルを示す。左側のプロットは、ＢＡＮＧアルゴリズムによって割り当てられた遺伝子型に従って色付けされる。右側のプロットは、同じ個体について、１０００  Ｇｅｎｏｍｅｓ第３相コールに従って色付けされる。１０００  ｇｅｎｏｍｅｓ参照遺伝子型における多数のノーコール（黄色）は、スクリーニングされた個体の全てが１０００  Ｇｅｎｏｍｅｓによってアッセイされたわけではないことを反映している。
【０１５９】
プローブ設計
特定のプローブ設計は、複対立遺伝子遺伝子型決定手法に関してよく、関心対象のデータを入手するために有益であり得る。種々のＤＮＡ分析システムにおいて使用され得るＳＮＰプローブの判別のための論理ルーチンは、長く存在している。ＳＮＰを照合するために設計された以前のアレイは、一般に、関心対象の標的（関心対象のＳＮＰを含む）に対して完璧に相補的でありプローブ、及そのび完璧に相補的なプローブと比較して１つ以上の一置換を含む１つ以上の他のプローブを含んでいたプローブセットを利用する。次いで、プローブセットにおける異なるプローブについての、結果として生じる強度データを比較して、関心対象のＳＮＰに対する遺伝子型コールを生成する。例えば、米国特許第５，８５８，６５９号（その全体が参照により本明細書に組み込まれる）を参照されたい。
【０１６０】
ＳＮＰを遺伝子型決定するための最近のアレイとしては、Ａｘｉｏｍ（登録商標）アレイ（Ａｆｆｙｍｅｔｒｉｘ，Ｉｎｃ．，Ｓａｎｔａ  Ｃｌａｒａ，ＣＡ）及びＩｎｆｉｎｉｕｍ（登録商標）ＩＩアレイ（Ｉｌｌｕｍｉｎａ，Ｉｎｃ．，Ｓａｎ  Ｄｉｅｇｏ，ＣＡ）が挙げられる。これらのアレイは、関心対象の標的核酸内のＳＮＰ部位に隣接する配列に相補的なＳＮＰプローブを利用し、したがって、これらのアレイにおけるＳＮＰプローブは、ＳＮＰ部位において標的核酸と直接ハイブリダイズしない。代わりに、プローブ標的二本鎖の二本鎖部分は、ＳＮＰの直ぐ上流で終端する。次いで、ＳＮＰ部位における標的の塩基に対する相補性を必要とする当該技術分野において既知の適切な機序を通じた（例えば、結紮または一塩基延長）ＳＮＰプローブの一端（例えば、５’、３’）へのヌクレオチドまたはプローブの付加（２つの異なるハプテンのうちの１つを含むヌクレオチドまたはプローブと共に）によって、ＳＮＰ部位の照合が達成される。どの対立遺伝子が、ＳＮＰ部位に存在していたかの判別は、付加されたヌクレオチドまたはプローブと関連した特定のハプテンの後続の検出を通じて確認される。
【０１６１】
Ａｘｉｏｍ（登録商標）アッセイは、３０塩基オリゴヌクレオチドＳＮＰプローブを２色フォーマットで利用する。ＳＮＰ部位における塩基の同定は、結紮されたＳＮＰプローブに対する塩基の同一性に応じて、２つの蛍光標識のうちの１つの付着部位として機能する２つのハプテンのうちの１つを含むプローブの結紮によって確認される（例えば、第１のハプテン／標識の組み合わせは、ＳＮＰ部位がＡまたはＴであるときに結紮するプローブと関連し、第２のハプテン／標識の組み合わせは、ＳＮＰ部位がＣまたはＧであるときに結紮するプローブと関連する）。例えば、Ｈｏｆｆｍａｎｎ  ｅｔ  ａｌ．，″Ｎｅｘｔ  ｇｅｎｅｒａｔｉｏｎ  ｇｅｎｏｍｅ−ｗｉｄｅ  ａｓｓｏｃｉａｔｉｏｎ  ｔｏｏｌ：ｄｅｓｉｇｎ  ａｎｄ  ｃｏｖｅｒａｇｅ  ｏｆ  ａ  ｈｉｇｈ−ｔｈｒｏｕｇｈｐｕｔ  Ｅｕｒｏｐｅａｎ−ｏｐｔｉｍｉｚｅｄ  ＳＮＰ  ａｒｒａｙ，″Ｇｅｎｏｍｉｃｓ，９８（２）：７９−８９（２０１１）、及びＨｏｆｆｍａｎｎ  ｅｔ  ａｌ．，″Ｄｅｓｉｇｎ  ａｎｄ  ｃｏｖｅｒａｇｅ  ｏｆ  ｈｉｇｈ  ｔｈｒｏｕｇｈｐｕｔ  ｇｅｎｏｔｙｐｉｎｇ  ａｒｒａｙｓ  ｏｐｔｉｍｉｚｅｄ  ｆｏｒ  ｉｎｄｉｖｉｄｕａｌｓ  ｏｆ  Ｅａｓｔ  Ａｓｉａｎ，Ａｆｒｉｃａｎ  Ａｍｅｒｉｃａｎ，ａｎｄ  Ｌａｔｉｎｏ  ｒａｃｅ／ｅｔｈｎｉｃｉｔｙ  ｕｓｉｎｇ  ｉｍｐｕｔａｔｉｏｎ  ａｎｄ  ａ  ｎｏｖｅｌ  ｈｙｂｒｉｄ  ＳＮＰ  ｓｅｌｅｃｔｉｏｎ  ａｌｇｏｒｉｔｈｍ，″Ｇｅｎｏｍｉｃｓ，９８（６）：４２２−３０（２０１１）を参照されたい（いずれもそれら全体が参照により本明細書に組み込まれる）。
【０１６２】
Ａｘｉｏｍ（登録商標）ＤＭＥＴアッセイは、薬物代謝における代謝経路の関与に関する遺伝子分析に用いることもできる。遺伝的変異は、異なる個体が薬物を代謝する能力における重要な決定因子であり得る。個々の遺伝子バックグラウンドの研究を使用して、媒介を標的とし、個体に存在する多型に応じて治療用量を調整することができる。ＤＭＥＴパネルは、薬物代謝において役割を果たし得る遺伝子のセットにおける１，２００個より多くの多型を分析する単一アッセイを提供することによって、そのような試験を容易にする。ＤＭＥＴパネルは、多くの異なる遺伝子を同時に照合することができ、新薬の代謝に関与し得る異なる遺伝子における対立遺伝子の特定の組み合わせの検出を容易にする。
【０１６３】
Ｉｎｆｉｎｉｕｍ（登録商標）ＩＩアッセイは、５０塩基オリゴヌクレオチドＳＮＰプローブを２色フォーマットで利用する。ＳＮＰ部位における塩基の同定は、ＳＮＰプローブの一塩基延長を通じて２つの異なるハプテンのうちの１つを担持するｄｄＮＴＰの組み込みによって確認され、各ハプテンは、異なる蛍光標識と関連している（例えば、ｄｄＣＴＰ及びｄｄＧＴＰは、第１のハプテン／標識の組み合わせと関連するが、ｄｄＡＴＰ及びｄｄＴＴＰは、第２のハプテン／標識の組み合わせと関連する）。例えば、Ｇｕｎｄｅｒｓｏｎ  ｅｔ  ａｌ．，″Ｗｈｏｌｅ−ｇｅｎｏｍｅ  ｇｅｎｏｔｙｐｉｎｇ  ｏｆ  ｈａｐｌｏｔｙｐｅ  ｔａｇ  ｓｉｎｇｌｅ  ｎｕｃｌｅｏｔｉｄｅ  ｐｏｌｙｍｏｒｐｈｉｓｍｓ，″Ｐｈａｒｍａｃｏｇｅｎｏｍｉｃｓ，７（４）：６４１−８（２００６）、及びＳｔｅｅｍｅｒｓ  ｅｔ  ａｌ．，″Ｗｈｏｌｅ−ｇｅｎｏｍｅ  ｇｅｎｏｔｙｐｉｎｇ  ｗｉｔｈ  ｔｈｅ  ｓｉｎｇｌｅ−ｂａｓｅ  ｅｘｔｅｎｓｉｏｎ  ａｓｓａｙ，″Ｎａｔｕｒｅ  Ｍｅｔｈｏｄｓ，３：３１−３３（２００６）を参照されたい（いずれもそれら全体が参照により本明細書に組み込まれる）。
【０１６４】
組み合わせた全ゲノム及び遺伝子座特異的増幅方法
本開示の追加の実施形態では、アレイアッセイと共に使用するために、全ゲノム増幅（ＷＧＡ）及び遺伝子座特異的増幅を組み合わせて、所望の標的配列について、結果として生じる遺伝子型決定データを改善し、結果として生じるデータにおける望ましくない偽遺伝子の効果を低減するために、所望の標的配列に対して増幅を選択的に付勢することができる。
【０１６５】
例えば、Ａｘｉｏｍ（登録商標）及びＩｎｆｉｎｉｕｍ（登録商標）ＩＩアッセイは、全ゲノム増幅ＤＮＡを利用し、増幅はゲノム全体で行われる。多置換増幅（ＭＤＡ）、変性オリゴヌクレオチドＰＣＲ（ＤＯＰ−ＰＣＲ）、及びプライマー延長前置増幅（ＰＥＰ）などの多くの全ゲノム増幅手法が、当該技術分野において既知であり、ＰｉｃｏＰＬＥＸ（商標）ＷＧＡキット（Ｎｅｗ  Ｅｎｇｌａｎｄ  Ｂｉｏｌａｂｓ，Ｉｎｃ．，Ｉｐｓｗｉｃｈ，Ｍａｓｓａｃｈｕｓｅｔｔｓ）、ＲＥＰＬＩ−ｇ  ＷＧＡキット（ＱＩＡＧＥＮ，Ｖｅｎｌｏ，Ｎｅｔｈｅｒｌａｎｄｓ）、及びＧｅｎｏｍｅＰｌｅｘ（登録商標）全ゲノム増幅キット（Ｓｉｇｍａ−Ａｌｄｒｉｃｈ  Ｃｏｒｐｏｒａｔｉｏｎ，Ｓｔ．Ｌｏｕｉｓ，Ｍｉｓｓｏｕｒｉ）などの多くのＷＧＡ用キットが商業的に入手可能である。複対立遺伝子標的について、関心対象の実際の遺伝子変異体、ならびに配列において近くにあり得るが、依然として関心対象の実際の変異体とはわずかな相違を有し得る、偽遺伝子が存在し得るため、特定の臨床または研究目標に対して有用なデータを提供しないばかりか、実際に関心対象の標的の効率的な照合及び遺伝子型決定を妨げる。偽遺伝子は、関連配列の分析を複雑にする場合があり、ホモ接合性コールをヘテロ接合性コールとして出現させ得るか、またはその逆も同様である。したがって、全ゲノム増幅（ＷＧＡ）は、関心対象の標的と同様の増幅の程度でそのような偽遺伝子の増幅をもたらし得、関心対象の標的に対する正確な遺伝子型コールを行う際の困難につながり得る。
【０１６６】
これを克服するために、全ゲノム増幅（ＷＧＡ）を、関心対象の標的の遺伝子座特異的増幅で補充することによって結果を強化することが有益であり得る。多重ポリメラーゼ連鎖反応、後続ＰＣＲを伴う分子変換プローブ、後続ローリングサークル増幅を伴う錠型プローブ、及び他の手法の使用などの、遺伝子座特異的増幅の多くの形態が、当該技術分野において既知である。多重ＰＣＲは、ＰＣＲを使用して異なるＤＮＡ標的配列を同時に増幅させることからなり得る。すなわち、偽遺伝子を含む標的は、所望の遺伝子に特異的なプライマーを使用するｍＰＣＲ増幅に供され得る。分子変換プローブの使用は、当該技術分野において既知であり、例えば、Ｈａｒｄｅｎｂｏｌ  ｅｔ  ａｌ．，Ｎａｔ．Ｂｉｏｔｅｃｈｎｏｌ．２１：６７３−８（２００３）、Ｈａｒｄｅｎｂｏｌ  ｅｔ  ａｌ．，Ｇｅｎｏｍｅ  Ｒｅｓ．１５：２６９−２７５（２００５）、Ｊｉ  ｅｔ  ａｌ．，Ｃａｎｃｅｒ  Ｒｅｓ．６６：７９１０−９、米国特許第６，８５８，４１２号、同第８，７１６，１９０号、同第８，８２８，６８８号、同第８，７５９，０３６号、ならびに米国公開出願第２０１３／０２９６１７２号、及び同第２０１５／０２８４７８６号に記載されており、各々があらゆる目的で、その全体が参照により本明細書に組み込まれる。後続ローリングサークル増幅を伴う錠型プローブの使用もまた、当該技術分野において既知であり、例えば、米国特許第６，５５８，９２８号及び同第７，０７４，５６４号に記載されており、各々があらゆる目的で、その全体が参照により本明細書に組み込まれる。１つの特定の標的配列（その同様の変異体の代わりに）の遺伝子座特異的増幅は、特に全ゲノム増幅と組み合わせたとき、マイクロアレイアッセイから得られるデータの後続分析と共に役立ち得る。
【０１６７】
遺伝子座特異的増幅を利用して、最終的にゲノムの所望の標的の多くのコピーを作成し、結果として生じる増幅生成物を、望ましくない偽遺伝子に対向して、所望の標的に対して統計的に付勢するために、全ゲノム増幅を補足することができる。望ましくない領域に対するゲノムの標的部分の濃度の増加は、標的からのシグナルを増加させ、二対立遺伝子及び複対立遺伝子両方の遺伝子型決定において後続の遺伝子型決定結果を強化することができる。換言すれば、アレイ上の照合に使用可能な所望のアンプリコンの増加は、より効率的かつ強化された生物情報学的遺伝子型決定プロセスにつながり得る。遺伝子型決定プロセスの改善は、関心対象の遺伝子変異体における特異的ＳＮＰなどの、関心対象のマーカーの特定の標的が、多くの同様の偽遺伝子または変異体を有するときに特に有益であり得る。例えば、チトクロームＰ４５０内には、診断的、臨床的、及び／または薬理ゲノミクス的に重要であるが、関連のない変異体を近くに有する多くのマーカーが存在する。例えば、薬理ゲノミクス値の高いＣＹＰ２Ｄ６内にＳＮＰが存在するが、ＣＹＰ２Ｄ６と、ＣＹＰ２Ｄ７及びＣＹＰ２Ｄ８などの偽遺伝子との間の高い相同性が、一般に、高い非特異的バックグラウンドシグナルの、関心対象のＣＹＰ２Ｄ６マーカー（例えば、ＳＮＰ）の照合に対する後者の寄与を通じて後続の遺伝子型決定を複雑にするため、全ゲノム増幅単独に依存することは、所望のマーカーの正確な分析を妨げる場合がある。当業者によって認識されるように、偽遺伝子及びそうでなければ高い相同性の配列からのこの高い非特異的バックグラウンドは、ＡＢＣＣ２、ＣＦＴＲ、ＣＹＰ１Ａ２、ＣＹＰ２Ａ６、ＣＹＰ２Ｂ６、ＣＹＰ２Ｃ１９、ＣＹＰ２Ｃ８、ＣＹＰ２Ｃ９、ＧＳＴＭ１、及びＳＵＬＴ１Ａ１などの他の関心対象のマーカーも妨げる。
【０１６８】
いくつかの実施形態では、ゲノムＤＮＡ試料を（例えば、抽出によって）入手してもよく、全ゲノム増幅が試料に適用され得る。遺伝子座特異的ｍＰＣＲ増幅を試料上で行い、関心対象の配列を標的とすることができ、複対立遺伝子遺伝子型決定のために、試料をアレイに断片化及びハイブリダイズしてもよい。
【０１６９】
図１１は、本開示の１つ以上の態様に従い、開示される増幅手法におけるステップのフローの例示的な図を示す。この実施例では、ＣＹＰ２Ｄ６  ５．６ｋｂ  ＰＣＲ製品が、２つの異なるステップで（全ゲノム増幅前または全ゲノム増幅後）Ａｘｉｏｍ（登録商標）ワークフローに付加され得る。いくつかの実施形態では、このワークフローは、約１００個の変異体（２，９７３個のプローブセット）を、単一ＰＣＲ製品を使用して見られるようにすることができる。
【０１７０】
図１２は、ＰＣＲ増幅された標的を使用するために、２つの手順を試験することから得られる結果のプロットを示す。図１２のプロットは、ＣＹＰ２Ｄ６の全てを含む単一アンプリコンを増幅させることから得られるクラスタプロットを示す。いくつかの実施形態では、ＰＣＲ増幅された標的を使用するための手順は、わずかに改善されたＳＮＰ変換率をもたらし得る。しかしながら、困難なマーカーに対する影響を評価するためには、より大規模な研究が必要であり得る。
【０１７１】
いくつかの実施形態では、本明細書に開示されるＡｘｉｏｍ（登録商標）ＤＭＥＴ増幅方法は、同様のワークフローを有するＡｘｉｏｍ  ２．０ロバスト化学プラットフォームを、２４ウェルフォーマット、マニュアル標的調製、及び試薬処理で利用することができる。ｍＰＣＲステップは、ＱＩＡＧＥＮ多重ＰＣＲキットなどの商業的に入手可能なｍＰＣＲキットを使用して、Ａｘｉｏｍ（登録商標）ワークフローに組み込まれ得る。いくつかの実施形態では、ｍＰＣＲ製品は、ワークフローにおけるＤＮａｓｅ断片化の前、全ゲノム増幅後に付加されてもよい。
【０１７２】
図１３は、本開示の１つ以上の態様に従い、開示される増幅手法におけるワークフローの例示的な図を示す。
【０１７３】
図１４は、本開示の１つ以上の態様に従い、実現可能性について試験された多重プライマーセットの表を示す。
【０１７４】
追加として、オリゴヌクレオチドスパイクイン研究は、応答性プローブの識別を助けることができる。一実施例では、７０−ｍｅｒオリゴマーを、第１層モノモルフ（例えば、Ａ、Ｂ、Ｃ、Ｄ対立遺伝子）に対して合成した。オリゴマーは、両方の鎖にマッチし、ウォブル位置において配列退化を有する。増幅したｇＤＮＡを、ＤＭＥＴアレイプレート上で処理し、プローブ応答をモニタリングした。図１５は、スパイクイン研究からの遺伝子型決定結果の例を示す。図１５に示されるように、第１のプローブセットは、非応答性であったが、第２のプローブセットは、用量依存性応答を示した。
【０１７５】
図１６は、本開示の１つ以上の態様に従い、１５−ｐｌｅｘ  ｍＰＣＲアッセイからの結果の例示的な表を示す。いくつかの実施形態では、Ｑｉａｇｅｎ多重ＰＣＲ  Ｐｌｕｓキット（ＰＮ  ２０６１５１または２０６１５２）が、ｍＰＣＲプロトコルにおいて利用されてもよい。図１６に示される結果に示されるように、１％以上のわずかな対立遺伝子頻度（ＭＡＦ）を有する３つのＳＮＰが、ＤＭＥＴ  Ｐｌｕｓから持ち越されたプライマー配列において観測された。参照ＳＮＰ変異体ｒｓ７６０１５１８０は、１−０２１４プライマーの重要な３’端に存在し、増幅に影響を及ぼすことが示された。
【０１７６】
主題は、構造的特徴部及び／または方法論的作用に特異的な言語で記載されてきたが、添付の特許請求の範囲において定義される主題が、必ずしも上記の特定の特徴部または作用に限定されないことを理解されたい。むしろ、上記の特定の特徴部及び作用は、以下の特許請求の範囲の例示的な実装として記載される。
【図１】
2019500706.tif 000036
【図２】
2019500706.tif 000037
【図３】
2019500706.tif 000038
【図４】
2019500706.tif 000039
【図５】
2019500706.tif 000040
【図６Ａ】
2019500706.tif 000041
【図６Ｂ】
2019500706.tif 000042
【図６Ｃ】
2019500706.tif 000043
【図７Ａ】
2019500706.tif 000044
【図７Ｂ】
2019500706.tif 000045
【図７Ｃ】
2019500706.tif 000046
【図８】
2019500706.tif 000047
【図９】
2019500706.tif 000048
【図１０−１】
2019500706.tif 000049
【図１０−２】
2019500706.tif 000050
【図１０−３】
2019500706.tif 000051
【図１１】
2019500706.tif 000052
【図１２】
2019500706.tif 000053
【図１３】
2019500706.tif 000054
【図１４】
2019500706.tif 000055
【図１５】
2019500706.tif 000056
【図１６−１】
2019500706.tif 000057
【図１６−２】
2019500706.tif 000058
【国際調査報告】
2019500706.tif 000059